(57)【要約】  電力制御方法、ＵＥ、基地局、パラメータ構成方法、および制御方法が開示される。電力制御方法は、少なくとも１つの構成情報を受信するステップを含み、構成情報は少なくとも１つのサウンディング参照信号（ＳＲＳ）リソースセットを含み、参照信号リソースセットは少なくとも１つのＳＲＳリソースを含み、ＳＲＳリソースセットはＳＲＳリソースセットインデックスによって識別され、ＳＲＳリソースは第１のＳＲＳリソースインデックスによって識別される。この方法はまた、少なくとも１つの電力制御パラメータセットを受信するステップと、ＳＲＳリソースセットと電力制御パラメータとの相関１またはＳＲＳと電力制御パラメータとの相関２を受信するステップと、受信した構成情報、電力制御パラメータセット、および相関１と相関２のうちの一方に従い、ＳＲＳリソースに対応するＳＲＳの電力制御パラメータを決定するステップとを含む。
2021503788.tif 000002
【特許請求の範囲】
【請求項１】
電力制御方法であって、
少なくとも１つの構成情報を受信するステップを含み、前記構成情報は、少なくとも１つのサウンディング参照信号（ＳＲＳ）リソースセットを含み、前記ＳＲＳリソースセットは、少なくとも１つのＳＲＳリソースを含み、前記ＳＲＳリソースセットは、ＳＲＳリソースセットインデックスによって識別され、前記ＳＲＳリソースは、第１のＳＲＳリソースインデックスによって識別され、前記電力制御方法はさらに、
少なくとも１つの電力制御パラメータセットを受信するステップと、
前記ＳＲＳリソースセットと電力制御パラメータとの相関１、または、前記ＳＲＳリソースと電力制御パラメータとの相関２を受信するステップと、
前記受信した構成情報と、前記受信した電力制御パラメータセットと、前記相関１および前記相関２のうちの一方とに従い、前記ＳＲＳリソースに対応するＳＲＳの電力制御パラメータを決定するステップとを含む、電力制御方法。
【請求項２】
前記電力制御パラメータセットは、開ループ電力制御パラメータと、経路損失測定パラメータと、閉ループ電力制御パラメータとのうちの少なくとも１つを含み、
前記開ループ電力制御パラメータは、目標受信電力と、電力オフセットと、経路損失補償係数とのうちの少なくとも１つを含み、
前記経路損失測定パラメータは、経路損失測定のための参照信号リソースタイプ指示と、前記経路損失測定のための参照信号リソース指示と、前記経路損失測定のための参照信号の複数の経路損失値を処理するためのルールとのうちの少なくとも１つを含み、
前記閉ループ電力制御パラメータは、閉ループ電力制御プロセスを含む、請求項１に記載の電力制御方法。
【請求項３】
前記電力制御パラメータセットは、ＳＲＳのための電力制御パラメータセットであり、前記相関１は、
前記ＳＲＳリソースセットインデックスと前記開ループ電力制御パラメータとの相関、
前記ＳＲＳリソースセットインデックスと前記経路損失測定パラメータとの相関、
前記ＳＲＳリソースセットインデックスと前記閉ループ電力制御プロセスとの相関、
前記開ループ電力制御パラメータと前記閉ループ電力制御プロセスとの相関、
前記経路損失測定パラメータと前記閉ループ電力制御プロセスとの相関、
前記開ループ電力制御パラメータと前記経路損失測定パラメータとの相関、および
前記開ループ電力制御パラメータと前記経路損失測定パラメータと前記閉ループ電力制御プロセスとの相関
のうちの少なくとも１つを含む、請求項２に記載の電力制御方法。
【請求項４】
前記電力制御パラメータセットは、ＳＲＳのための電力制御パラメータセットであり、前記相関２は、
前記第１のＳＲＳリソースインデックスと前記開ループ電力制御パラメータとの相関、
前記第１のＳＲＳリソースインデックスと前記経路損失測定パラメータとの相関、
前記第１のＳＲＳリソースインデックスと前記閉ループ電力制御プロセスとの相関、
前記開ループ電力制御パラメータと前記閉ループ電力制御プロセスとの相関、
前記経路損失測定パラメータと前記閉ループ電力制御プロセスとの相関、
前記開ループ電力制御パラメータと前記経路損失測定パラメータとの相関、および
前記開ループ電力制御パラメータと前記経路損失測定パラメータと前記閉ループ電力制御プロセスとの相関
のうちの少なくとも１つを含む、請求項２に記載の電力制御方法。
【請求項５】
前記相関１または前記相関２は、無線リソース制御（ＲＲＣ）シグナリングと、メディアアクセス制御（ＭＡＣ）制御要素（ＣＥ）と、物理層シグナリングとのうちの少なくとも１つを通して構成され、
前記ＳＲＳの第１の電力制御パラメータは、前記ＳＲＳリソースセットインデックスまたは前記第１のＳＲＳリソースインデックスに基づき、前記相関１の相関関係または前記相関２の相関関係に従って取得される、請求項１に記載の電力制御方法。
【請求項６】
前記ＳＲＳの前記第１の電力制御パラメータは、前記ＳＲＳの前記電力制御パラメータとして使用される、請求項５に記載の電力制御方法。
【請求項７】
前記電力制御パラメータセットは、以下の条件のうちの少なくとも１つが満たされる場合、物理アップリンク共有チャネル（ＰＵＳＣＨ）のための電力制御パラメータセットをさらに含み、前記条件は、
条件１：前記ＳＲＳリソースセットおよび前記ＰＵＳＣＨが前記電力制御パラメータを共有することを指示する情報を受信すること、
条件２：前記ＳＲＳリソースセットおよび前記ＰＵＳＣＨが前記電力制御パラメータを共有することを認める情報を受信し、かつ予め定められた共有条件を満たすこと、および
条件３：開ループ電力制御パラメータに関する情報が前記ＳＲＳリソースセットに含まれるだけであること、
である、請求項５に記載の電力制御方法。
【請求項８】
前記条件１が、前記ＳＲＳが前記ＰＵＳＣＨの閉ループ電力制御プロセスｘを共有することを指示するという条件である場合、前記ＰＵＳＣＨの前記閉ループ電力制御プロセスｘに対応付けられた前記ＰＵＳＣＨの閉ループ電力制御パラメータが前記ＳＲＳの第２の電力制御パラメータとして与えられる、請求項７に記載の電力制御方法。
【請求項９】
前記共有条件は、以下の条件：
アプリケーションシナリオが非ビームシナリオであること、
前記ＳＲＳリソースセットは、非周期的になるように構成されていること、
前記ＳＲＳリソースセットは、セミスタティックになるように構成されていること、
前記ＳＲＳリソースセットのＳＲＳリソースの数が１に等しいこと、
前記ＳＲＳリソースセットのＳＲＳリソースの繰り返しの数が１に等しいこと、
前記ＳＲＳリソースセットと前記ＳＲＳリソースセットのうちの一方に対応付けられたアンテナリソースが、前記ＰＵＳＣＨに対応付けられたアンテナリソースと一致すること、
前記ＳＲＳリソースセットと前記ＳＲＳリソースのうちの一方に対応付けられた参照信号インデックスすべてが、前記ＰＵＳＣＨの電力制御パラメータに対応付けられた参照信号インデックスと同一であること、
前記ＳＲＳリソースセットと前記ＳＲＳリソースのうちの一方に対応付けられた参照信号インデックスすべてによって指示される参照信号と、前記ＰＵＳＣＨの電力制御パラメータに対応付けられた参照信号インデックスによって指示される参照信号とが、チャネル特性仮定を満たすこと、
前記ＳＲＳリソースセットと前記ＳＲＳリソースのうちの一方のグラントタイプが、前記ＰＵＳＣＨの電力制御パラメータに対応付けられたグラントタイプと同一であること、および
前記ＳＲＳリソースセットと前記ＳＲＳリソースのうちの一方に対応付けられた参照信号インデックスが、基地局の構成情報によって指示されること、
のうちの少なくとも１つの任意の組み合わせである、請求項７に記載の電力制御方法。
【請求項１０】
前記ＳＲＳリソースの前記参照信号インデックスを決定するための情報１を受信するステップを含み、前記情報１は、以下の指示方式：
基地局がトランスペアレントである方式、
基地局が疑似コロケーション（ＱＣＬ）方式で指示する方式、および
基地局が指示する送信方式、
のうちの少なくとも１つを含み、前記電力制御方法は、さらに、
前記ＳＲＳリソースの前記参照信号インデックスを決定するステップを含む、請求項７に記載の電力制御方法。
【請求項１１】
前記電力制御パラメータセットは、前記ＰＵＳＣＨのための前記電力制御パラメータセットをさらに含み、前記ＳＲＳの第２の電力制御パラメータセットが、予め構成された参照信号インデックスと前記ＰＵＳＣＨの前記電力制御パラメータセットとの相関によって得られる、請求項１０に記載の電力制御方法。
【請求項１２】
前記予め構成された参照信号インデックスと前記ＰＵＳＣＨの前記電力制御パラメータセットとの前記相関は、
前記参照信号インデックスに対応付けられた参照信号と前記ＰＵＳＣＨに対応付けられた参照信号とが前記チャネル特性仮定を満たすこと、および
前記参照信号インデックスが前記ＰＵＳＣＨに対応付けられた参照信号インデックスと同一であること、
のうちの少なくとも１つである、請求項１１に記載の電力制御方法。
【請求項１３】
前記ＳＲＳの前記第１の電力制御パラメータおよび前記ＳＲＳの前記第２の電力制御パラメータセットを用いて前記ＳＲＳの前記電力制御パラメータを決定するステップは、
前記ＳＲＳの前記第１の電力制御パラメータにおける開ループ電力制御パラメータと、前記ＳＲＳの前記第２の電力制御パラメータセットにおける経路損失測定パラメータおよび閉ループ電力制御プロセスのうちの少なくとも１つとを、前記ＳＲＳの前記電力制御パラメータとして使用するステップ、および
前記ＳＲＳの前記第１の電力制御パラメータにおける前記開ループ電力制御パラメータにおける目標受信電力パラメータと、前記ＳＲＳの前記第２の電力制御パラメータセットにおける開ループ電力制御パラメータの経路損失係数、前記経路損失測定パラメータ、および前記閉ループ電力制御プロセスのうちの少なくとも１つとを、前記ＳＲＳの前記電力制御パラメータとして使用するステップ、
のうちの１つを含む、請求項１１または８に記載の電力制御方法。
【請求項１４】
前記予め構成された参照信号インデックスと前記ＰＵＳＣＨの前記電力制御パラメータセットとの前記相関に従って得られた第１のＰＵＳＣＨの電力制御パラメータセットが空であると判断したことに応じて、前記ＳＲＳの前記第１の電力制御パラメータを前記ＳＲＳの前記電力制御パラメータとして使用するステップを含む、請求項１１に記載の電力制御方法。
【請求項１５】
同一のＳＲＳリソースセットの複数のＳＲＳリソースを占有するＳＲＳは、同一の送信電力を有する、または同一の送信電力の同一のグループに属する、請求項１に記載の電力制御方法。
【請求項１６】
同一の送信電力の、予め設定された数の周期に従い、前記数の周期において同一のＳＲＳリソースセットの複数のＳＲＳリソースを占有する前記ＳＲＳは、同一の送信電力を有する、または同一の送信電力の同一のグループに属すると判断するステップを含む、請求項１に記載の電力制御方法。
【請求項１７】
前記構成情報は、前記ＳＲＳの送信の繰り返しの回数をさらに含み、前記電力制御方法は、
前記送信の繰り返しの回数に従い前記ＳＲＳの前記電力制御パラメータを調整するステップをさらに含む、請求項１に記載の電力制御方法。
【請求項１８】
ユーザ機器（ＵＥ）レベル構成パラメータにおける電力制御パラメータを前記ＳＲＳの前記電力制御パラメータとして使用するステップと、
セルレベル構成パラメータにおける電力制御パラメータを前記ＳＲＳの前記電力制御パラメータとして使用するステップと、
物理ランダムアクセスプロセスの電力制御パラメータを用いて前記ＳＲＳの送信電力を計算するステップと、
前記物理ランダムアクセスプロセスの目標電力を前記ＳＲＳの目標受信電力として使用し、同期信号ブロックを測定することにより得られた経路損失を前記ＳＲＳの経路損失として使用することにより、前記ＳＲＳの前記送信電力を計算するステップとをさらに含む、請求項１に記載の電力制御方法。
【請求項１９】
電力制御方法であって、
物理アップリンク共有チャネル（ＰＵＳＣＨ）および物理アップリンク制御チャネル（ＰＵＣＣＨ）が、
前記物理アップリンク共有チャネルおよび前記物理アップリンク制御チャネルが同一のスケジューリングユニットにあるという条件、
前記物理アップリンク共有チャネルおよび前記物理アップリンク制御チャネルが周波数分割されるという条件、
前記物理アップリンク共有チャネルおよび前記物理アップリンク制御チャネルが同一の送信ビームを有するという条件、および
前記物理アップリンク共有チャネルに対応付けられた参照信号および前記物理アップリンク制御チャネルに対応付けられた参照信号がチャネル特性仮定を満たすという条件、
のうちのいずれか１つを満たす場合に、前記物理アップリンク共有チャネル（ＰＵＳＣＨ）の電力制御パラメータおよび／または送信ビームリソースのうちの少なくとも１つを、前記物理アップリンク制御チャネル（ＰＵＣＣＨ）の電力制御パラメータおよび／または送信ビームリソースのうちの少なくとも１つとして使用するステップを含む、電力制御方法。
【請求項２０】
パラメータ構成方法であって、
基地局がユーザ機器（ＵＥ）のための構成パラメータＸを構成するステップを含み、前記構成パラメータＸは、アンテナ管理とビーム管理のうちの少なくとも一方を制御するために使用される、パラメータ構成方法。
【請求項２１】
前記構成パラメータＸは、
前記構成パラメータＸはアンテナ管理およびビーム管理により共同で符号化されたパラメータであるという特徴、および
アンテナスイッチングと前記ビーム管理とは、前記構成パラメータＸの異なる状態であるという特徴
のうちの１つを満たす、請求項２０に記載のパラメータ構成方法。
【請求項２２】
前記構成パラメータＸは、以下の状態：
アンテナスイッチングおよびビーム非スイッチング、
アンテナスイッチングおよびビームスイッチング、
ビームスイッチングおよびアンテナ非スイッチング、
ビームスイッチングおよびアンテナスイッチング、
ビーム不変およびアンテナ非スイッチング、
アンテナスイッチング、
ビームスイッチング、および
ビーム不変、
のうちの少なくとも１つを有する、請求項２０に記載のパラメータ構成方法。
【請求項２３】
前記構成パラメータＸの構成可能状態範囲、または、前記構成パラメータＸが有効になるか否かを、以下のパラメータ：
サウンディング参照信号（ＳＲＳ）リソース間の多重化方式、
ＳＲＳリソースセットに含まれるＳＲＳリソースの数、
ＳＲＳリソースに含まれるポートの数、および
前記ＳＲＳリソースセットの異なるＳＲＳリソース間の最小時間間隔、
のうちの少なくとも１つに従い、判断するステップを含み、
前記構成パラメータＸは、前記ＳＲＳリソースの構成パラメータである、または前記ＳＲＳリソースセットの構成パラメータである、請求項２０に記載のパラメータ構成方法。
【請求項２４】
前記構成パラメータＸは、以下の情報：
前記アンテナ管理の情報、
前記ビーム管理の情報、
ＳＲＳリソース間の多重化方式に関する情報、
前記ＳＲＳリソースセットに含まれるＳＲＳリソースの数に関する情報、
前記ＳＲＳリソースに含まれるポートの数に関する情報、および
異なるＳＲＳリソース間の最小時間間隔に関する情報
のうちの少なくとも２つの情報の、共同で符号化されたパラメータである、請求項２０に記載のパラメータ構成方法。
【請求項２５】
前記ビーム管理の情報は、以下の情報：
ビームスイッチング、および
ビーム不変
のうちの少なくとも１つの情報を含み、
前記アンテナ管理の情報は、以下の情報：
アンテナ不変、および
アンテナスイッチング
のうちの少なくとも１つの情報を含む、請求項２０に記載のパラメータ構成方法。
【請求項２６】
前記構成パラメータＸは、以下の信号：
ＳＲＳリソースの構成パラメータ、
ＳＲＳリソースセットの構成パラメータ、
物理アップリンク制御チャネル（ＰＵＣＣＨ）の構成パラメータ、および
物理アップリンク共有チャネル（ＰＵＳＣＨ）の構成パラメータ、
のうちの１つの構成パラメータである、請求項２０に記載のパラメータ構成方法。
【請求項２７】
電力制御方法であって、
同一キャリアにおいて、シンボルごとに送信するチャネルおよび送信する信号のうちの少なくとも一方に対し、
前記キャリアの最大電力が単一キャリアの予め設定された最大電力限界しきい値以下であり、かつ、同一スロット内の複数のシンボルのうちの同一種類のチャネルまたは信号のうちの少なくとも１つが同一の非ゼロ電力または同一の非ゼロ電力スペクトル密度を維持することを満たすように、電力調整を実行するステップを含む、電力制御方法。
【請求項２８】
電力制御方法であって、
複数のキャリアにおいて、シンボルごとに送信するチャネルおよび送信する信号のうちの少なくとも一方に対し、
前記複数のキャリアの最大電力が前記複数のキャリアの予め設定された最大電力限界しきい値以下であり、かつ、同一キャリアにおける同一スロット内の複数のシンボルのうちの同一種類のチャネルまたは信号のうちの少なくとも１つが同一の非ゼロ電力または同一の非ゼロ電力スペクトル密度を維持することを満たすように、電力調整を実行するステップを含む、電力制御方法。
【請求項２９】
プロセッサと、メモリと、通信バスとを備えるユーザ機器（ＵＥ）であって、
前記通信バスは、前記プロセッサと前記メモリとの間の接続通信を実現するように構成され、
前記プロセッサは、前記メモリに格納されているアップリンク電力制御プログラムを実行することにより以下のステップを実現するように構成され、前記ステップは、
少なくとも１つの構成情報を受信するステップを含み、前記構成情報は、少なくとも１つのサウンディング参照信号（ＳＲＳ）リソースセットを含み、前記ＳＲＳリソースセットは、少なくとも１つのＳＲＳリソースを含み、前記ＳＲＳリソースセットは、ＳＲＳリソーセットインデックスによって識別され、前記ＳＲＳリソースは、第１のＳＲＳリソースインデックスによって識別され、
少なくとも１つの電力制御パラメータセットを受信するステップと、
前記ＳＲＳリソースセットと電力制御パラメータとの相関１を受信するまたは前記ＳＲＳと電力制御パラメータとの相関２を受信するステップと、
前記受信した構成情報、前記受信した電力制御パラメータセット、および前記相関１と前記相関２のうちの一方に従い、前記ＳＲＳリソースに対応するＳＲＳの電力制御パラメータを決定するステップとを含む、ユーザ機器。
【請求項３０】
プロセッサと、メモリと、通信バスとを備える基地局であって、
前記通信バスは、前記プロセッサと前記メモリとの間の接続通信を実現するように構成され、
前記プロセッサは、前記メモリに格納されているアップリンク電力制御プログラムを実行することにより以下のステップを実現するように構成され、前記ステップは、
少なくとも１つの構成情報を構成するステップを含み、前記構成情報は、少なくとも１つのサウンディング参照信号（ＳＲＳ）リソースセットを含み、前記ＳＲＳリソースセットは、少なくとも１つのＳＲＳリソースを含み、前記ＳＲＳリソースセットは、ＳＲＳリソーセットインデックスによって識別され、前記ＳＲＳリソースは、第１のＳＲＳリソースインデックスによって識別され、
少なくとも１つの電力制御パラメータセットを構成するステップと、
前記ＳＲＳリソースセットと電力制御パラメータとの相関１、または前記ＳＲＳと電力制御パラメータとの相関２を構成するステップと、
前記構成情報、前記電力制御パラメータセット、および前記相関１と前記相関２のうちの一方に従い、かつ前記構成に従い、ＳＲＳのスケジューリング指示をユーザ機器（ＵＥ）に送信するステップとを含む、基地局。
【請求項３１】
電力制御方法であって、
少なくとも１つの構成情報を構成するステップを含み、前記構成情報は、少なくとも１つのサウンディング参照信号（ＳＲＳ）リソースセットを含み、前記ＳＲＳリソースセットは、少なくとも１つのＳＲＳリソースを含み、前記ＳＲＳリソースセットは、ＳＲＳリソーセットインデックスによって識別され、前記ＳＲＳリソースは、第１のＳＲＳリソースインデックスによって識別され、前記電力制御方法は、さらに、
少なくとも１つの電力制御パラメータセットを構成するステップと、
前記ＳＲＳリソースセットと電力制御パラメータとの相関１を構成する、または前記ＳＲＳと電力制御パラメータとの相関２を受信するステップとを含む、電力制御方法。
【請求項３２】
前記電力制御パラメータセットは、開ループ電力制御パラメータと、経路損失測定パラメータと、閉ループ電力制御パラメータとのうちの少なくとも１つを含み、
前記開ループ電力制御パラメータは、目標受信電力と、電力オフセットと、経路損失補償係数とのうちの少なくとも１つを含み、
前記経路損失測定パラメータは、経路損失測定のための参照信号リソースタイプ指示と、前記経路損失測定のための参照信号リソース指示と、前記経路損失測定のための参照信号の複数の経路損失値を処理するためのルールとのうちの少なくとも１つを含み、
前記閉ループ電力制御パラメータは、閉ループ電力制御プロセスを含む、請求項３１に記載の電力制御方法。
【請求項３３】
前記相関１または前記相関２は、無線リソース制御（ＲＲＣ）シグナリングと、メディアアクセス制御（ＭＡＣ）制御要素（ＣＥ）と、物理層シグナリングとのうちの少なくとも１つを通して構成される、請求項３１に記載の電力制御方法。
【請求項３４】
前記電力制御パラメータセットは、以下の条件のうちの少なくとも１つが満たされる場合、物理アップリンク共有チャネル（ＰＵＳＣＨ）のための電力制御パラメータセットをさらに含み、前記条件は、
条件１：前記ＳＲＳリソースセットおよび前記ＰＵＳＣＨが前記電力制御パラメータを共有することを指示する情報を構成すること、
条件２：前記ＳＲＳリソースセットおよび前記ＰＵＳＣＨが前記電力制御パラメータを共有することを認める情報を構成し、かつ予め定められた共有条件を満たすこと、および、
条件３：開ループ電力制御パラメータに関する情報が前記ＳＲＳリソースセットに含まれるだけであること、
である、請求項３１に記載の電力制御方法。
【請求項３５】
前記ＳＲＳリソースの参照信号インデックスを決定するための情報１を構成するステップを含み、前記情報１は、以下の指示方式：
基地局がトランスペアレントである方式、
基地局が疑似コロケーション（ＱＣＬ）方式で指示する方式、および
基地局が指示する送信方式、
のうちの少なくとも１つを含む、請求項３１に記載の電力制御方法。
【請求項３６】
電力制御方法であって、
アップリンク送信の開ループ電力制御パラメータセットにおけるパラメータの少なくとも一部が構成または再構成される場合に、前記構成または再構成される開ループ電力制御パラメータセットのインデックスに対応付けられた閉ループ電力制御プロセスＩＤに対応するローカル閉ループ電力調整量をリセットするステップを含む、電力制御方法。
【請求項３７】
前記アップリンク送信は、
物理アップリンク共有チャネル送信、
物理アップリンク制御チャネル送信、および
サウンディング参照信号送信、
のうちの少なくとも１つを含む、請求項３６に記載の電力制御方法。
【請求項３８】
アップリンク送信の前記開ループ電力制御パラメータセットにおける前記パラメータは、
目標受信電力および
経路損失係数
のうちの少なくとも１つを含む、請求項３６に記載の電力制御方法。
【請求項３９】
開ループ電力制御パラメータが開ループ電力制御パラメータＩＤによって指示され、
経路損失測定パラメータが経路損失測定パラメータＩＤによって指示され、
閉ループ電力制御プロセスが前記閉ループ電力制御プロセスＩＤによって指示される、請求項３６に記載の電力制御方法。
【請求項４０】
ユーザ機器（ＵＥ）のための
開ループ電力制御パラメータと参照信号インデックスとの相関、
経路損失測定パラメータと前記参照信号インデックスとの相関、
閉ループ電力制御プロセスと前記参照信号インデックスとの相関、
開ループ電力制御パラメータＩＤと前記参照信号インデックスとの相関、
経路損失測定パラメータＩＤと前記参照信号インデックスとの相関、および
前記閉ループ電力制御プロセスＩＤと前記参照信号インデックスとの相関
のうちの少なくとも１つを構成するステップをさらに含む、請求項３６または３９に記載の電力制御方法。
【請求項４１】
前記ユーザ機器（ＵＥ）のための、
参照信号インデックス、
開ループ電力制御パラメータＩＤ、
経路損失パラメータＩＤ、および
前記閉ループ電力制御プロセスＩＤ
のうちの少なくとも１つを送信することにより、前記アップリンク送信の電力制御パラメータを得るステップをさらに含む、請求項３６または３９に記載の電力制御方法。
【請求項４２】
コンピュータによる実行が可能なコードを格納するためのコンピュータ記憶媒体であって、前記コンピュータによる実行が可能なコードは、実行されると、請求項１〜１８、１９、２０〜２６、２７、２８、３１〜３５、または３６〜４１のうちのいずれか１項に記載の前記方法を実現することが可能である、コンピュータ記憶媒体。
【発明の詳細な説明】
【技術分野】
【０００１】
関連出願の相互参照
本願は、２０１７年１１月１７日に出願された中国特許出願第２０１７１１１４８３２３．５号に基づいており、この出願に基づく優先権を主張し、その開示全体を本明細書に引用により援用する。
【０００２】
技術分野
本願は、無線通信の技術分野に関し、特に、電力制御方法、ユーザ機器（user equipment）（ＵＥ）、基地局、パラメータ構成方法および制御方法に関するが、これらに限定される訳ではない。
【背景技術】
【０００３】
背景
第３世代パートナーシッププロジェクト（Third Generation Partnership Project）（３ＧＰＰ）の進行中の研究プロジェクトである５Ｇ新無線（New Radio）（ＮＲ）は、直交周波数分割多重方式（orthogonal frequency division multiplexing）（ＯＦＤＭ）に基づいて新たな無線エアインターフェイス規格を決定しており、これは次世代モバイルネットワークの基礎となるであろう。第５世代モバイル通信システムとして、ＮＲ技術は、今までよりも多くのさまざまな種類のアプリケーションシナリオをサポートする必要があり、また、従来の周波数帯、高周波数帯およびビームモードを同時にサポートする必要もあり、このことは電力制御設計に大きな課題をもたらす。
【０００４】
ロングタームエボリューション（long term evolution）（ＬＴＥ）技術における電力制御は、経路損失、目標受信電力、最大送信電力、閉ループ電力調整量、送信帯域幅、送信レートなどのような、多数の要素に関係がある。ＬＴＥでは、サウンディング参照信号（sounding reference signal）（ＳＲＳ）が、ユーザ機器から基地局に送信され、アップリンクチャネルを調査するために使用され、ＳＲＳの送信電力制御は、物理アップリンク共有チャネル（physical uplink shared channel）（ＰＵＳＣＨ）の電力制御プロセスに密接な関係がある。ＮＲマルチビームシナリオにおけるＳＲＳは、ＬＴＥにおけるＳＲＳの特徴を受け継ぐ必要があるだけでなく、アップリンクビームスキャンの実行等の新たな要件を満たす必要もある。アップリンクビームスキャンのプロセスはさまざまなフェイズを有し得るものであり、それぞれが、異なる数のビームの送信および／または受信のトレーニングをサポートする。ビームスキャンの結果は、次のＰＵＳＣＨ、物理アップリンク制御チャネル（physical uplink control channel）（ＰＵＣＣＨ）、およびＳＲＳの送信ビームを決定するために使用される。同時に、無線チャネルには経時変化という特徴があるので、データ送信プロセスにおいて、ＵＥは、チャネルの調査またはビームのスキャンのためにＳＲＳを送信する必要もある。このため、マルチビームシナリオにおいて、ＮＲは、さまざまな異なる要件を伴うＳＲＳをサポートする必要があり、電力制御機構について異なる要件を有する。通信信号要件を満たし柔軟性のある構成を実装する電力制御の実現は、解決すべき緊急の課題のうちの１つである。
【発明の概要】
【発明が解決しようとする課題】
【０００５】
概要
本願は、電力制御方法、ＵＥ、基地局、パラメータ構成方法および制御方法を提供する。
【課題を解決するための手段】
【０００６】
本願のある実施形態は電力制御方法を提供する。この電力制御方法は下記のステップを含む。
【０００７】
少なくとも１つの構成情報（configuration information）を受信し、構成情報は少なくとも１つのサウンディング参照信号（ＳＲＳ）リソースセットを含み、サウンディング参照信号リソースセットは少なくとも１つのサウンディング参照信号リソースを含み、ＳＲＳリソースセットはＳＲＳリソースセットインデックスによって識別され、ＳＲＳリソースは第１のリソースインデックスによって識別される。
【０００８】
少なくとも１つの電力制御パラメータセットを受信する。
ＳＲＳリソースセットと電力制御パラメータとの相関１またはＳＲＳと電力制御パラメータとの相関２を受信する。
【０００９】
受信した構成情報と、受信した電力制御パラメータセットと、相関１と相関２のうちの一方とに従い、ＳＲＳリソースに対応するＳＲＳの電力制御パラメータ（すなわち送信電力パラメータ）を決定する。
【００１０】
本願のある実施形態はさらに電力制御方法を提供する。この電力制御方法は下記のステップを含む。
【００１１】
物理アップリンク共有チャネルおよび物理アップリンク制御チャネルが下記の条件のうちの少なくとも１つを満たす場合に、物理アップリンク共有チャネルの電力制御パラメータおよび／または送信ビームリソースを、物理アップリンク制御チャネルの電力制御パラメータおよび／または送信ビームリソースとして使用する。
【００１２】
物理アップリンク共有チャネルおよび物理アップリンク制御チャネルが同一のスケジューリングユニットにある。
【００１３】
物理アップリンク共有チャネルおよび物理アップリンク制御チャネルが周波数分割される。
【００１４】
物理アップリンク共有チャネルおよび物理アップリンク制御チャネルが同一の送信ビームを有する。
【００１５】
物理アップリンク共有チャネルに対応付けられた参照信号および物理アップリンク制御チャネルに対応付けられた参照信号がチャネル特性仮定を満たす。
【００１６】
本願のある実施形態はさらにパラメータ構成方法を提供する。このパラメータ構成方法は下記のステップを含む。
【００１７】
基地局がユーザ機器のための構成パラメータＸを構成し、構成パラメータＸは、アンテナ管理制御および／またはビーム管理制御のために使用される。
【００１８】
本願のある実施形態はさらに制御方法を提供する。この制御方法は下記のステップを含む。
【００１９】
同一キャリアにおいて、シンボルごとに送信するチャネルおよび／または信号に対し、以下の要件を満たすように電力調整を実行する。
【００２０】
キャリアの最大電力が信号−キャリアの予め設定された最大電力限界しきい値以下であり、かつ、同一スロット内の複数のシンボルのうちの同一種類のチャネルおよび／または信号が同一の非ゼロ電力または同一の非ゼロ電力スペクトル密度を維持する。
【００２１】
本願のある実施形態はさらに制御方法を提供する。この制御方法は下記のステップを含む。
【００２２】
複数のキャリアにおいて、シンボルごとに送信するチャネルおよび／または信号に対し、以下の要件を満たすように電力調整を実行する。
【００２３】
複数のキャリアの最大電力が複数のキャリアの予め設定された最大電力限界しきい値以下であり、かつ、同一キャリアにおける同一スロット内の複数のシンボルのうちの同一種類のチャネルおよび／または信号が同一の非ゼロ電力または同一の非ゼロ電力スペクトル密度を維持する。
【００２４】
本願のある実施形態はさらにユーザ機器を提供する。このユーザ機器は、プロセッサとメモリと通信バスとを含む。
【００２５】
通信バスは、プロセッサとメモリとの間の接続通信を実現するように構成されている。
プロセッサはメモリに格納されているアップリンク電力制御プログラムを実行することにより下記のステップを実現するように構成されている。
【００２６】
少なくとも１つの構成情報を受信し、構成情報は少なくとも１つのサウンディング参照信号（ＳＲＳ）リソースセットを含み、サウンディング参照信号リソースセットは少なくとも１つのサウンディング参照信号リソースを含み、ＳＲＳリソースセットはＳＲＳリソースセットインデックスによって識別され、ＳＲＳリソースは第１のＳＲＳリソースインデックスによって識別される。
【００２７】
少なくとも１つの電力制御パラメータセットを受信する。
ＳＲＳリソースセットと電力制御パラメータとの相関１、またはＳＲＳと電力制御パラメータとの相関２を受信する。
【００２８】
受信した構成情報、受信した電力制御パラメータセット、および相関１と相関２のうちの一方に従い、ＳＲＳリソースに対応するＳＲＳの電力制御パラメータを決定する。
【００２９】
本願のある実施形態はさらに基地局を提供する。この基地局は、プロセッサとメモリと通信バスとを含む。
【００３０】
通信バスは、プロセッサとメモリとの間の接続通信を実現するように構成されている。
プロセッサはメモリに格納されているアップリンク電力制御プログラムを実行することにより下記のステップを実現するように構成されている。
【００３１】
少なくとも１つの構成情報を構成し、構成情報は少なくとも１つのサウンディング参照信号（ＳＲＳ）リソースセットを含み、サウンディング参照信号リソースセットは少なくとも１つのサウンディング参照信号リソースを含み、ＳＲＳリソースセットはＳＲＳリソースセットインデックスによって識別され、ＳＲＳリソースは第１のＳＲＳリソースインデックスによって識別される。
【００３２】
少なくとも１つの電力制御パラメータセットを構成する。
ＳＲＳリソースセットと電力制御パラメータとの相関１、またはＳＲＳと電力制御パラメータとの相関２を構成する。
【００３３】
構成情報、電力制御パラメータセット、および相関１と相関２のうちの一方に従い、かつ上記構成に従い、ＳＲＳのスケジューリング指示をユーザ機器に送信する。
【００３４】
本願のある実施形態はさらに電力制御方法を提供する。この電力制御方法は下記のステップを含む。
【００３５】
少なくとも１つの構成情報を構成し、構成情報は少なくとも１つのサウンディング参照信号（ＳＲＳ）リソースセットを含み、サウンディング参照信号リソースセットは少なくとも１つのサウンディング参照信号リソースを含み、ＳＲＳリソースセットはＳＲＳリソースセットインデックスによって識別され、ＳＲＳリソースは第１のＳＲＳリソースインデックスによって識別される。
【００３６】
少なくとも１つの電力制御パラメータセットを構成する。
ＳＲＳリソースセットと電力制御パラメータとの相関１を構成する、またはＳＲＳと電力制御パラメータとの相関２を受信する。
【００３７】
本願のある実施形態はさらに電力制御方法を提供する。この電力制御方法は下記のステップを含む。
【００３８】
アップリンク送信の開ループ電力制御パラメータセットにおけるパラメータの少なくとも一部が構成または再構成される場合に、構成または再構成される開ループ電力制御パラメータセットのインデックスに対応付けられた閉ループ電力制御プロセスＩＤ（identification）に対応するローカル閉ループ電力調整量をリセットする。
【００３９】
本願のある実施形態はさらに、コンピュータ実行可能コードを格納するためのコンピュータ記憶媒体を提供し、このコンピュータ実行可能コードは、実行後、上記実施形態のうちのいずれか１つの方法を実現することができる。
【００４０】
本願において提供される、上記電力制御方法、ＵＥ、基地局、パラメータ構成方法およびパラメータ制御方法は、基地局の構成情報に従ってＳＲＳの電力制御パラメータを決定し、一律のアーキテクチャを利用して、マルチビームシナリオにおける異なる種類のＳＲＳの送信電力を決定することにより、妥当なオーバヘッドで電力制御のための各種ＳＲＳの異なる要件を柔軟にサポートする。
【００４１】
本明細書に記載の図面は、本願の一層の理解を得るため、および本願の一部を形成するために使用されている。本願における具体例としての実施形態とその説明は、本願を説明するために用いられているのであって、本願を何らかの不適切なやり方で制限するためのものではない。
【図面の簡単な説明】
【００４２】
【図１】本願のある実施形態に係る電力制御方法のフローチャートである。
【図２】本願のある実施形態に係る電力制御方法のフローチャートである。
【図３】本願のある実施形態に係る電力制御方法のフローチャートである。
【図４】本願のある実施形態に係るユーザ機器の構造図である。
【図５】本願のある実施形態に係る基地局の構造図である。
【図６】本願のある実施形態に係るアンテナ無線周波数重み係数の概略図である。
【図７】本願のある実施形態に係るロングＰＵＣＣＨ（Ｌ−ＰＵＣＣＨ）とＰＵＳＣＨとの間における周波数分割多重化の概略図である。
【図８】本願のある実施形態に係るスロット内のシンボルの各チャネルに対する時間−周波数リソース割り当ての概略図である。
【発明を実施するための形態】
【００４３】
詳細な説明
本願の目的、技術的解決策および利点を明らかにするために、以下において本願の実施形態の詳細な説明を図面と関連付けて提供する。なお、本願における実施形態および特徴は、対立が生じない限り相互に組み合わせてもよい。
【００４４】
無線通信システムでは、送信装置の消費電力を低減し不必要な高電力送信によって生じる他の送信に対する干渉を低減するために、送信には送信電力制御が必要である。送信電力は、通信範囲の大きさ、最大送信電力、送信側と受信側双方に対する送受信デバイスの受信感度、データの変調および符号化方法（modulation and coding scheme）（ＭＣＳ）、変調および符号化方法のレート、有効周波数帯、ならびに送信が占める帯域幅等の要素の影響を受ける。一般的に、受信端における受信信号の品質要件が満たされるという条件で、相対的に低い送信電力をできる限り使用する必要がある。
【００４５】
たとえば、通信ノード１が参照信号を送信し、通信ノード２が参照信号に従ってノード１からノード２までの経路損失（pathloss）（ＰＬ）を測定する。ＰＬは、ノード１の参照信号の送信電力とノード２が受信した参照信号の電力とによって測定される。ノード２からノード１までの送信チャネルのＰＬはノード１からノード２までのチャネルのＰＬと同一であると想定し、送信電力を、送信の受信端における受信電力が受信要件を満たすことができるように設定する。ＰＬは単方向測定の結果なので、この要素は送信電力の開ループ部分に属する。ノード２はこの送信を受信し、次に分析を実行し、受信品質に従って電力調整に関する情報をノード１に提供する。このプロセスは閉ループ電力制御に属する。
【００４６】
ＬＴＥにおいて、基地局から端末までのリンクはダウンリンクであり、端末から基地局までのリンクはアップリンクである。ダウンリンクの電力は、基地局が、スケジューリングされた各ＵＥのチャネル測定結果とスケジューリングアルゴリズムとに従って決定する。アップリンクの電力制御は、開ループを閉ループと組み合わせるやり方で行い、ＵＥの測定によって決定した電力制御ファクタは開ループ部分に属し、基地局が測定しＵＥにフィードバックされる電力制御ファクタは閉ループ部分に属する。加えて、送信レート、ＭＣＳレベル、送信帯域幅などのような、送信に関連する特定の量も電力に影響する。
【００４７】
以下はＬＴＥのＰＵＳＣＨの送信電力の計算式である。この式は、電力に影響する各パラメータを説明するための一例として使用される。ＰＵＣＣＨも同様のパラメータおよびメカニズムを有する。
【００４８】
【数１】
2021503788.tif 000003
【００４９】
上記式において、下付き文字ｃはセルを表し、キャリアアグリゲーション（carrier aggregation）（ＣＡ）機能をサポートする各コンポーネントキャリア（component carrier）（ＣＣ）は１セルに対応する。上記式から、この電力計算式における各パラメータが異なるセル各々について構成または計算されることがわかる。本明細書におけるすべての記述は１つのＣＣについての記述であるため、特にあるセルに言及することはない。本明細書におけるすべてのパラメータは複数のＣＣに拡張することができ電力に関連する構成および計算されたパラメータは各ＣＣごとに別々に構成する必要があることに注意されたい。
【００５０】
アップリンク送信におけるＰＵＳＣＨ（ＰＰＵＳＣＨ）の電力の開ループ部分は、目標受信電力ＰＯ＿ＰＵＳＣＨ、経路損失（ＰＬ）量、および経路損失係数αによって決まる。目標受信電力は、セルレベルパラメータとＵＥレベルパラメータとに分類され、その両方が基地局によって決定されＵＥのために構成される。閉ループ部分では、基地局が、測定結果と目標との差に従って閉ループ電力制御調整量を決定し、ＵＥに、送信電力制御コマンド（ＴＰＣコマンド、すなわちダウンリンク制御情報（downlink control information）（ＤＣＩ）におけるＰＵＳＣＨについてのδＰＵＳＣＨおよびＰＵＣＣＨについてのδＰＵＣＣＨ）の形態で通知する。ＵＥは、ローカル閉ループ電力制御調整量ｆ（ｉ）を維持し、閉ループ電力制御調整量は送信電力制御コマンドに従って更新され、閉ループ電力制御の目的は上記の式の使用によって達成される。上記式において、ｉはサブフレーム番号、ΔＴＦはＭＣＳに関する電力オフセット、ＰＣＭＡＸはＵＥの最大電力限界、ＭＰＵＳＣＨはＰＵＳＣＨが占有するリソースブロック（resource block）（ＲＢ）の数である。
【００５１】
ＬＴＥのセルレベル目標受信電力Ｐ０＿ｎｏｍｉｎａｌは、それぞれ異なるブロック誤り率（block error rate）（ＢＬＥＲ）要件に対応するＰＵＳＣＨ（セミスタティック、ダイナミック、ＭＳＧ３）およびＰＵＣＣＨを区別するために設定される。ＵＥレベル目標受信電力Ｐ０＿ＵＥ＿ｓｐｅｃｉｆｉｃも、これらの項目を区別するために設定され、その機能は、ＰＬ推定誤差および絶対出力電力設定等の系統的な偏差を補償することである。
【００５２】
ｆ（ｉ）は、送信電力制御コマンドに従い、２つの方法で、すなわち累積法および絶対値法で更新される。ここで、絶対値法とは、基地局が送信する送信電力制御コマンドに従ってＵＥのローカル閉ループ電力制御調整量ｆ（ｉ）を直接更新することであり、累積法とは、基地局が送信する送信電力制御コマンドとＵＥのローカル閉ループ電力制御調整量の履歴値とを併用してＵＥのローカル閉ループ電力制御調整量ｆ（ｉ）を決定することである。
【００５３】
なお、ｆ（ｉ）はＵＥのローカル閉ループ電力制御調整量を示し、ＬＴＥではＰＵＣＣＨのＵＥのローカル閉ループ電力制御調整量をｇ（ｉ）で示す。本明細書においてｆ（ｉ）はＰＵＣＣＨに適用されてもよく、電力制御プロセスにおけるその機能はＰＵＳＣＨに適用される場合と同様である。
【００５４】
５Ｇ技術はビーム伝送方式を導入し、基地局およびＵＥ双方が複数のビームをサポートする。ビームモードで動作するとき、電力計算はビームの特性を考慮する必要がある。本願はマルチビームモードの電力制御方法を提供する。本願において言及する各パラメータは、ＰＵＳＣＨ、ロングＰＵＳＣＨ、ショートＰＵＳＣＨ、ＰＵＣＣＨ、ロングＰＵＣＣＨ、ショートＰＵＣＣＨ等のさまざまなチャネル、およびＳＲＳ等の信号に、適用される。同じ種類のパラメータが上記チャネルまたは信号の各々に適用される場合、パラメータは、独立してまたは組み合わせて構成することができる。組み合わせて構成する場合、異なるチャネルまたは信号が同じ値を共有することができ、どのチャネルまたは信号が同じ値を共有できるかを、基地局が所定の方法で決定するまたは構成する。
【００５５】
本願明細書ではビームに関連するさまざまな概念を使用している。理解し易くするために以下で説明を行う。
【００５６】
送信モードは、送信ビーム、送信ポート、送信リソース、参照信号シーケンス、送信プリコーディング行列（アナログ方式、デジタル方式またはハイブリッド方式）、同期信号リソース指示または参照信号リソース指示のうちの、少なくとも１つを含む。参照信号リソース指示は、アップリンク参照信号リソース指示および／またはダウンリンク参照信号リソース指示を含む。同期信号リソース指示およびダウンリンク参照信号リソース指示によって決まる送信モードとは、特定の受信モード（たとえば受信性能が最高、ＰＬが最小、または参照信号受信電力（reference signal received power）（ＲＳＲＰ）が最大であるモード）で得られる、送信ビームまたは送信ポート等のアップリンク送信モードのことであり、これは、アップリンクとダウンリンクとの相反性（reciprocity）またはアップリンク参照信号とダウンリンク参照信号との相関を用いて指示を受信するための同期信号リソースまたはダウンリンク参照信号リソースに対応する。アップリンク参照信号リソース指示によって決まる送信モードとは、送信ビームまたは送信ポート等の、指示されているアップリンク参照信号の送信モードと同一の、送信モードのことである。
【００５７】
受信モードは、受信ビーム、受信ポート、受信リソース、参照信号シーケンス、受信プリコーディング行列（アナログ方式、デジタル方式またはハイブリッド方式）、受信アルゴリズム、同期信号リソース指示および参照信号リソース指示のうちの、少なくとも１つを含む。参照信号リソース指示は、アップリンク参照信号リソース指示および／またはダウンリンク参照信号リソース指示を含む。同期信号リソース指示およびダウンリンク参照信号リソース指示によって決まる受信モードとは、受信ビームまたは受信ポート等の、特定の受信モード（たとえば受信性能が最高、ＰＬが最小、またはＲＳＲＰが最大であるモード）のことであり、これは、指示を受信するための同期信号リソースまたはダウンリンク参照信号リソースに対応する。アップリンク参照信号リソース指示によって決まる受信モードとは、アップリンクとダウンリンクとの相反性またはアップリンク参照信号とダウンリンク参照信号との相関を用いて、指示されたアップリンク参照信号と同じ受信モードによって得られた、受信ビームまたは受信ポート等のダウンリンク受信モードのことである。
【００５８】
ビームはリソースであってもよい（たとえば送信端プリコーディング、受信端プリコーディング、アンテナポート、アンテナ重みベクトル、アンテナ重み行列など）。ビームシリアルナンバーはリソースインデックスに置き換えてもよい。なぜなら、ビームは送信のための何らかの時間−周波数コードリソースに結び付けることができるからである。また、ビームは送信（送受信）モードであってもよい。送信モードは、空間分割多重化、周波数ドメイン／時間ドメインダイバーシチなどを含み得る。
【００５９】
ビーム指示とは、送信端が、現在の参照信号およびアンテナポート、ならびに基地局がスキャンしたまたはＵＥがフィードバックして報告した参照信号（または標準参照信号）およびアンテナポートを通じて、疑似コロケーション（quasi co-location)（ＱＣＬ）仮定を満たすことを指示できることである。
【００６０】
受信ビームとは、指示する必要がない受信端におけるビームのことである、または、現在の参照信号およびアンテナポートと基地局がスキャンしたもしくはＵＥがフィードバックして報告した参照信号（または標準参照信号）およびアンテナポートとのＱＣＬを通じて送信端が指示する、受信端におけるビームリソースのことである。
【００６１】
チャネル特性は、水平送信方位角、垂直送信方位角、水平受信方位角、垂直受信方位角などのような物理伝搬チャネルの特性を含み、さらに、アンテナ要素パターン、アンテナグループ、アンテナパネル、アンテナサブアレイ、送受信ユニット（ＴＸＲＵ）、受信ビームセット、アンテナ配置、時間オフセット、周波数オフセット、およびベースバンドの位相ノイズなどのような無線周波数およびベースバンド回路の特性を含む。
【００６２】
疑似コロケーション（ＱＣＬ）に関連するパラメータは、少なくとも、ドップラースプレッド、ドップラーシフト、遅延スプレッド、平均遅延および平均利得を含み、また、空間パラメータ情報、たとえば到着角度、受信ビームの空間相関、平均遅延、および時間−周波数チャネル応答相関（位相情報を含む）を含み得る。
【００６３】
アップリンク参照信号とダウンリンク参照信号との相関とは、アップリンク（ダウンリンク）参照信号の空間パラメータ特性がダウンリンク（アップリンク）参照信号が通るチャネルの空間パラメータ特性によって決まり得ることである。上記相関を、ＱＣＬ仮定を満たす、または空間相反性ＱＣＬ仮定を満たすとも言う。具体的には、アップリンク参照信号の送信ビームはダウンリンク参照信号に対応する受信ビームによって決まり得るものであり、ダウンリンク参照信号の送信ビームはアップリンク参照信号に対応する受信ビームによって決まり得るものであり、アップリンク参照信号の受信ビームはダウンリンク参照信号に対応する送信ビームによって決まり得るものであり、ダウンリンク参照信号の受信ビームはアップリンク参照信号に対応する送信ビームによって決まり得るものである。
【００６４】
本願の実施形態では、説明し易くするために基地局およびユーザ機器（ＵＥ）を説明に使用しているが、これは本願を限定することを意図したものではない。実装プロセスにおいて、基地局およびＵＥを、ＮｏｄｅＢ（ＮＢ）、ｇＮＢ、送受信ポイント（transmitter receiver point）（ＴＲＰ）、アクセスポイント（access point）（ＡＰ）、サイト、ユーザ、ステーション（ＳＴＡ）、リレー（relay）、端末などのような、各種通信ノードの名称に置き換えてもよい。
【００６５】
本願の代替実施形態において、ビーム（グループ）は、ビームまたはビームグループを意味する。
【００６６】
図１に示されるように、本願の電力制御方法は下記のステップを含む。
ステップ１０１において、少なくとも１つの構成情報を受信し、構成情報は少なくとも１つのサウンディング参照信号リソースセットを含み、サウンディング参照信号リソースセットは少なくとも１つのサウンディング参照信号リソースを含み、ＳＲＳリソースセットはＳＲＳリソースセットインデックス（ＩＤ）によって識別され、ＳＲＳリソースは第１のＳＲＳリソースインデックスによって識別され、少なくとも１つの電力制御パラメータセットを受信し、ＳＲＳリソースセットと電力制御パラメータとの相関１またはＳＲＳと電力制御パラメータとの相関２を受信する。
【００６７】
ステップ１０２において、受信した構成情報、受信した電力制御パラメータセット、および相関１と相関２のうちの一方に従い、ＳＲＳリソースに対応するＳＲＳの電力制御パラメータを決定する。
【００６８】
図２に示されるように、本願の電力制御方法は下記のステップを含む。
ステップ２０１において、ユーザ機器は構成情報を基地局から受信し、構成情報は少なくとも１つのＳＲＳリソースセットを含み、ＳＲＳは少なくとも１つのＳＲＳリソースを含み、ＳＲＳリソースはＳＲＳが占有するリソースを指示するために使用され、ＳＲＳリソースセットまたはＳＲＳリソースのうちの一方とビームリソース指示情報との相関関係を基地局から受信し、ビームリソース指示情報は送信ビームのビームＩＤを指示するために使用される。
【００６９】
いくつかの実施形態において、構成情報は、以下の種類のメッセージ、すなわち、無線リソース制御（radio resource control）（ＲＲＣ）メッセージ、メディアアクセス制御（ＭＡＣ）制御要素メッセージ、および物理層シグナリング、のうちのいずれか１つで搬送される。
【００７０】
いくつかの実施形態において、各ＳＲＳリソースセットは少なくとも１つの電力制御パラメータセットを含み、電力制御パラメータセットは、ＪセットのＳＲＳ開ループ電力制御パラメータと、ＫセットのＳＲＳ経路損失測定パラメータと、ＬセットのＳＲＳ閉ループ電力制御パラメータとを含み、Ｊは１以上の整数、Ｋは０以上の整数、Ｌは０以上の整数である。
【００７１】
いくつかの実施形態において、開ループ電力制御パラメータは、目標受信電力、電力オフセット、または経路損失補償係数のうちの少なくとも１つを含む。
【００７２】
経路損失測定パラメータは、経路損失測定についての少なくとも１つのダウンリンク参照信号のリソース指示、またはダウンリンク参照信号によって測定された経路損失値を処理するためのルールのうちの、少なくとも１つを含む。
【００７３】
閉ループ電力制御パラメータは、閉ループ電力調整量を含む。
いくつかの実施形態において、ダウンリンク参照信号は、指定チャネル状態情報参照信号、同期信号における補助同期信号、同期信号におけるプライマリブロードキャストチャネルの復調参照信号、または指定トラッキング参照信号のうちの、いずれか１つまたは任意の組み合わせを含む。
【００７４】
いくつかの実施形態において、ダウンリンク参照信号によって測定された経路損失値を処理するためのルールは、具体的には、ダウンリンク参照信号によって測定された経路損失値を予め設定された経路損失しきい値と比較し、予め設定された重みの値に従って経路損失しきい値未満の経路損失値に対して加重平均を実行することにより、ＳＲＳの経路損失値を取得すること、を含む。
【００７５】
ステップ２０２において、ＵＥは構成情報および相関関係に従い送信ビームとＳＲＳの電力制御パラメータとを決定する。
【００７６】
いくつかの実施形態において、ＳＲＳの電力制御パラメータが決定されると、ＳＲＳリソースは、下記の条件、すなわち、
ＳＲＳリソースセットは非周期的になるように構成されていること、
ＳＲＳリソースセットはセミスタティックになるように構成されていること、
ＳＲＳリソースセットに含まれるＳＲＳリソースの数は１に等しいこと、
ＳＲＳリソースセットに含まれるＳＲＳリソースの繰り返しの数は１に等しいこと、
ＳＲＳリソースセットまたはＳＲＳリソースのうちの一方に対応付けられたビームソース指示情報は、物理アップリンク共有チャネルの電力制御パラメータに対応付けられたビームリソース指示情報のうちの一部またはすべてと同一であること、
ＳＲＳリソースセットまたはＳＲＳリソースに対応付けられたビームリソース指示情報、および、物理アップリンク共有チャネルの電力制御パラメータに対応付けられたビームリソース指示情報のうちの一部またはすべてが、予め定められたＱＣＬ関係を満たすこと、および
ＳＲＳリソースセットまたはＳＲＳリソースのグラントタイプが、物理アップリンク共有チャネルの電力制御パラメータに対応付けられたグラントタイプと同一であること、
のうちのいずれか１つまたはいずれか２つ以上の任意の組み合わせを満たす。
【００７７】
電力制御方法はさらに下記のステップを含む。ＳＲＳリソースセットにおける電力制御パラメータを、物理アップリンク共有チャネルの電力制御パラメータに置き換える。
【００７８】
いくつかの実施形態において、ＳＲＳリソースセットにおける電力制御パラメータを物理アップリンク共有チャネルの電力制御パラメータに置き換えるステップは、具体的には、
ＳＲＳリソースセットにおけるすべての電力制御パラメータを、ＳＲＳリソースセットまたはＳＲＳリソースに対応付けられたビームリソース指示情報に対応付けられた物理アップリンク共有チャネルのすべての電力制御パラメータに置き換えること、
ＳＲＳリソースセットにおける電力制御パラメータの一部を、ＳＲＳリソースセットまたはＳＲＳリソースに対応付けられたビームリソース指示情報に対応付けられた物理アップリンク共有チャネルの電力制御パラメータの一部に置き換えること、
ＳＲＳリソースセットにおけるすべての電力制御パラメータを、ＳＲＳリソースセットまたはＳＲＳリソースに対応付けられたグラントタイプに対応付けられた物理アップリンク共有チャネルのすべての電力制御パラメータに置き換えること、または、
ＳＲＳリソースセットにおける電力制御パラメータの一部を、ＳＲＳリソースセットまたはＳＲＳリソースに対応付けられたグラントタイプに対応付けられた物理アップリンク共有チャネルの電力制御パラメータの一部に置き換えること、
のうちのいずれか１つを含む。
【００７９】
いくつかの実施形態において、ＳＲＳリソースセットにおける電力制御パラメータを物理アップリンク共有チャネルの電力制御パラメータに置き換えるステップは、具体的には、
ＳＲＳリソースセットにおける目標受信電力を、物理アップリンク共有チャネルの目標受信電力とＳＲＳリソースセットにおける電力オフセット値との総和に置き換えること、
ＳＲＳリソースセットにおける経路損失補償係数を、物理アップリンク共有チャネルの経路損失補償係数に置き換えること、
ＳＲＳについて構成された経路損失推定の参照信号リソース指示を、物理アップリンク共有チャネルについて構成された経路損失推定の参照信号リソース指示に置き換えること、または
ＳＲＳリソースセットについて構成された閉ループ電力調整量を、物理アップリンク共有チャネルについて構成された閉ループ電力調整量に置き換えること、
のうちのいずれか１つを含む。
【００８０】
いくつかの実施形態において、ＳＲＳリソースセットが複数の電力オフセット値を含む場合、これらの電力オフセット値とＳＲＳのカテゴリとの対応は、基地局およびユーザ機器によって予め定められている、または、基地局により構成情報において示されており、制御方法はさらに下記のステップを含む。
【００８１】
ユーザ機器は、ＳＲＳのカテゴリに従い、ＳＲＳリソースセットにおける１つ以上の電力オフセット値を使用すると決定する。
【００８２】
いくつかの実施形態において、この方法はさらに下記のステップを含む。
ユーザ機器は、基地局から、ＳＲＳの電力制御パラメータセットとＳＲＳリソースセットまたはＳＲＳリソースのうちの一方との相関関係を受信する。
【００８３】
ユーザ機器は、電力制御パラメータセットとＳＲＳリソースセットまたはＳＲＳリソースのうちの一方との相関関係に従い、ＳＲＳの電力制御パラメータを決定する。
【００８４】
いくつかの実施形態において、構成情報はさらに、ユーザ機器に対する基地局の指示を含み、この指示は、物理アップリンク共有チャネルの電力制御パラメータのうちの一部またはすべてをＳＲＳリソースセットの電力制御パラメータのうちの一部またはすべてとして使用するか否かを指示するために使用される。
【００８５】
制御方法はさらに下記のステップを含む。
ユーザ機器は、この指示に従い、物理アップリンク共有チャネルの電力制御パラメータのうちの一部またはすべてを、ＳＲＳリソースセットにおける電力制御パラメータのうちの一部またはすべてとして使用する。
【００８６】
いくつかの実施形態において、各ＳＲＳリソースセットが電力制御パラメータセットを含まない場合、この制御方法はさらに下記のステップを含む。
【００８７】
ユーザ機器は、ＳＲＳの電力制御パラメータを、
ユーザ機器が基地局からのユーザ機器レベル構成パラメータにおける電力制御パラメータをＳＲＳの電力制御パラメータとして使用すること、
ユーザ機器が基地局からのセルレベル構成パラメータにおける電力制御パラメータをＳＲＳの電力制御パラメータとして使用すること、
ユーザ機器が物理ランダムアクセスプロセスの最終送信電力をＳＲＳの送信電力として使用すること、または、
ユーザ機器が物理ランダムアクセスプロセスの目標電力をＳＲＳの目標受信電力として使用し、同期信号ブロックを測定することによって得た経路損失をＳＲＳの経路損失として使用し、ＳＲＳの送信電力を計算すること、
のうちのいずれか１つのやり方で、決定する。
【００８８】
本願のある実施形態において、ユーザ機器は、同一のＳＲＳリソースセットにおける複数のＳＲＳリソースを占有するＳＲＳの電力制御パラメータは同一であると判断する。
【００８９】
本願のある実施形態において、同一の送信電力を維持する予め設定された数の期間に従い、ユーザ機器は、この数の期間における同一のＳＲＳリソースセットにおける複数のＳＲＳリソースを占有するＳＲＳの電力制御パラメータは同一であると判断する。
【００９０】
いくつかの実施形態において、構成情報がさらにＳＲＳ送信の繰り返しの数を含み、制御方法はさらに下記のステップを含む。
【００９１】
ユーザ機器は送信の繰り返しの数に従いＳＲＳの電力制御パラメータを調整する。
本願のある実施形態はさらに電力制御方法を提供する。この電力制御方法は下記のステップを含む。
【００９２】
物理アップリンク共有チャネルおよび物理アップリンク制御チャネルが、以下の条件のうちのいずれか１つまたは以下の条件のうちのいずれか２つ以上の任意の組み合わせを満たす場合、物理アップリンク共有チャネルの電力制御パラメータおよび／または送信ビームリソースを用いて、物理アップリンク制御チャネルの電力制御パラメータおよび／または送信ビームリソースを置き換える。
【００９３】
物理アップリンク共有チャネルおよび物理アップリンク制御チャネルは同一のスケジューリングユニットにある。
【００９４】
物理アップリンク共有チャネルおよび物理アップリンク制御チャネルは周波数分割される。
【００９５】
物理アップリンク共有チャネルおよび物理アップリンク制御チャネルは同一の送信ビームを有する。
【００９６】
物理アップリンク共有チャネルの送信ビームおよび物理アップリンク制御チャネルの送信ビームは予め定められたＱＣＬ関係を満たす。
【００９７】
図３に示されるように、本願のある実施形態はさらに電力制御方法を提供する。この電力制御方法は下記のステップを含む。
【００９８】
ステップ３０１において、基地局はユーザ機器のための少なくとも１つのＳＲＳリソースセットを構成し、ＳＲＳリソースセットは少なくとも１つのＳＲＳリソースを含み、ＳＲＳリソースは、ＳＲＳが占有するリソースを指示するため、かつ、ＳＲＳリソースセットまたはＳＲＳリソースとビームリソース指示情報との相関関係を構成するために使用され、ビームリソース指示情報は送信ビームのビームＩＤを指示するために使用される
いくつかの実施形態において、各ＳＲＳリソースセットは少なくとも１つの電力制御パラメータセットを含み、電力制御パラメータセットは、ＪセットのＳＲＳ開ループ電力制御パラメータと、ＫセットのＳＲＳ経路損失測定パラメータと、ＬセットのＳＲＳ閉ループ電力制御パラメータとを含み、Ｊは１以上の整数、Ｋは０以上の整数、Ｌは０以上の整数である。
【００９９】
いくつかの実施形態において、開ループ電力制御パラメータは、目標受信電力、電力オフセット、または経路損失補償係数のうちの、少なくとも１つを含む。
【０１００】
経路損失測定パラメータは、経路損失測定についての少なくとも１つのダウンリンク参照信号のリソース指示、またはダウンリンク参照信号によって測定された経路損失値を処理するためのルールのうちの、少なくとも１つを含む。
【０１０１】
閉ループ電力制御パラメータは、閉ループ電力調整量を含む。
いくつかの実施形態において、ダウンリンク参照信号は、指定チャネル状態情報参照信号、同期信号における補助同期信号、同期信号におけるプライマリブロードキャストチャネルの復調参照信号、または指定トラッキング参照信号のうちの、いずれか１つまたは任意の組み合わせを含む。
【０１０２】
いくつかの実施形態において、ダウンリンク参照信号によって測定された経路損失値を処理するためのルールは、具体的には、ダウンリンク参照信号によって測定された経路損失値を予め設定された経路損失しきい値と比較し、予め設定された重みの値に従って経路損失しきい値未満の経路損失値に対して加重平均を実行することにより、ＳＲＳの経路損失値を取得すること、である。
【０１０３】
いくつかの実施形態において、構成情報は、以下の種類のメッセージ、すなわち、無線リソース制御（ＲＲＣ）メッセージ、ＭＡＣ制御要素メッセージ、または物理層シグナリング、のうちのいずれか１つを含む。
【０１０４】
いくつかの実施形態において、ＳＲＳリソースセットはさらに複数の電力オフセット値を含み、電力オフセット値とＳＲＳのカテゴリとの対応は、基地局およびＵＥによって予め定められている、または基地局によって示される。
【０１０５】
なお、ＵＥは、電力オフセット値とＳＲＳのカテゴリとの対応を受けると、ＳＲＳのカテゴリに従い、ＳＲＳリソースセットにおける１つ以上の電力オフセット値を使用すると決定する。
【０１０６】
いくつかの実施形態において、ＳＲＳリソースセットはさらに、ＳＲＳの電力制御パラメータセットとＳＲＳリソースセットまたはＳＲＳリソースとの相関関係を含む。
【０１０７】
なお、ＵＥは、ＳＲＳの電力制御パラメータセットとＳＲＳリソースセットまたはＳＲＳリソースのうちの一方との相関関係を受信すると、この電力制御パラメータセットとＳＲＳリソースセットまたはＳＲＳリソースのうちの一方との相関関係に従いＳＲＳの電力制御パラメータを決定する。
【０１０８】
いくつかの実施形態において、制御方法はさらに、基地局が、物理アップリンク共有チャネルの電力制御パラメータのうちの一部またはすべてをＳＲＳリソースセットにおける電力制御パラメータのうちの一部またはすべてとして使用するか否かを指示することを含む。
【０１０９】
なお、ＵＥは、上記指示を受けると、この指示に従い、物理アップリンク共有チャネルの電力制御パラメータのうちの一部またはすべてをＳＲＳリソースセットにおける電力制御パラメータのうちの一部またはすべてとして使用する。
【０１１０】
いくつかの実施形態において、ＳＲＳリソースセットはさらに、ＳＲＳの送信の繰り返しの数を含む。
【０１１１】
なお、ＵＥは、ＳＲＳの送信の繰り返しの数を受けると、送信の繰り返しの数に従い、ＳＲＳの電力制御パラメータを調整する。
【０１１２】
ステップ３０２において、基地局は、構成に従い、ＳＲＳのスケジューリング指示をＵＥに送信する。
【０１１３】
本願のある実施形態はさらに、上記電力制御方法のステップを実現するために１つ以上のプロセッサが実行可能な１つ以上のプログラムを格納するように構成されたコンピュータ読取可能記憶媒体を提供する。
【０１１４】
図４に示されるように、本開示のある実施形態はさらにユーザ機器を提供する。このユーザ機器は受信ユニット４０１と決定ユニット４０２とを含む。
【０１１５】
受信ユニット４０１は、構成情報を基地局から受信するように構成されており、構成情報は少なくとも１つのＳＲＳリソースセットを含み、ＳＲＳリソースセットは少なくとも１つのＳＲＳリソースを含み、ＳＲＳリソースは、ＳＲＳが占有するリソースを示すために、かつ、基地局からのＳＲＳリソースセットまたはＳＲＳリソースの相関関係およびビームリソース指示情報を受信するために使用され、ビームリソース指示情報は、送信ビームのビーム指示を示すために使用される。
【０１１６】
決定ユニット４０２は、構成情報に従い送信ビームおよびＳＲＳの電力制御パラメータを決定するように構成されている。
【０１１７】
いくつかの実施形態において、ＳＲＳリソースセットはさらに少なくとも１つの電力制御パラメータセットを含み、電力制御パラメータセットはＪセットのＳＲＳ開ループ電力制御パラメータと、ＫセットのＳＲＳ経路損失測定パラメータと、ＬセットのＳＲＳ閉ループ電力制御パラメータとを含み、Ｊは１以上の整数、Ｋは０以上の整数、Ｌは０以上の整数である。
【０１１８】
いくつかの実施形態において、開ループ電力制御パラメータは、目標受信電力、電力オフセット、または経路損失補償係数のうちの少なくとも１つを含む。
【０１１９】
経路損失測定パラメータは、経路損失測定についての少なくとも１つのダウンリンク参照信号のリソース指示、またはダウンリンク参照信号によって測定された経路損失値を処理するためのルールのうちの、少なくとも１つを含む。
【０１２０】
閉ループ電力制御パラメータは、閉ループ電力調整量を含む。
いくつかの実施形態において、ダウンリンク参照信号は、指定チャネル状態情報参照信号、同期信号における補助同期信号、同期信号におけるプライマリブロードキャストチャネルの復調参照信号、および指定トラッキング参照信号のうちの、いずれか１つまたは任意の組み合わせを含む。
【０１２１】
いくつかの実施形態において、ダウンリンク参照信号によって測定された経路損失値を処理するためのルールは、具体的には、ダウンリンク参照信号によって測定された経路損失値を予め設定された経路損失しきい値と比較し、予め設定された重みの値に従って経路損失しきい値未満の経路損失値に対して加重平均を実行することにより、ＳＲＳの経路損失値を取得すること、を含む。
【０１２２】
いくつかの実施形態において、構成情報は、以下の種類のメッセージ、すなわち、無線リソース制御メッセージ、ＭＡＣ制御要素メッセージ、および物理層シグナリング、のうちのいずれか１つを含む。
【０１２３】
いくつかの実施形態において、判断ユニット４０２がＳＲＳの電力制御パラメータを決定するステップは、具体的には下記のステップを含む。
【０１２４】
ＳＲＳの電力制御パラメータが決定されると、ＳＲＳリソースが以下の条件のうちのいずれか１つまたは以下の条件のうちのいずれか２つ以上の任意の組み合わせを満たす場合、ＳＲＳリソースセットにおける電力制御パラメータを、物理アップリンク共有チャネルの電力制御パラメータと置き換える。上記条件は、
ＳＲＳリソースセットは非周期的になるように構成されていること、
ＳＲＳリソースセットはセミスタティックになるように構成されていること、
ＳＲＳリソースセットに含まれるＳＲＳリソースの数は１に等しいこと、
ＳＲＳリソースセットに含まれるＳＲＳリソースの繰り返しの数は１に等しいこと、
ＳＲＳリソースセットまたはＳＲＳリソースに対応付けられたビームソース指示情報は、物理アップリンク共有チャネルの電力制御パラメータに対応付けられたビームリソース指示情報のうちの一部またはすべてと同一であること、
ＳＲＳリソースセットまたはＳＲＳリソースに対応付けられたビームリソース指示情報、および、物理アップリンク共有チャネルの電力制御パラメータに対応付けられたビームリソース指示情報のうちの一部またはすべてが、予め定められた疑似コロケーション関係を満たすこと、または
ＳＲＳリソースセットまたはＳＲＳリソースのグラントタイプが、物理アップリンク共有チャネルの電力制御パラメータに対応付けられたグラントタイプと同一であること、である。
【０１２５】
いくつかの実施形態において、ＳＲＳリソースセットにおける電力制御パラメータを物理アップリンク共有チャネルの電力制御パラメータに置き換えるステップは、具体的には、
ＳＲＳリソースセットにおけるすべての電力制御パラメータを、ＳＲＳリソースセットまたはＳＲＳリソースに対応付けられたビームリソース指示情報に対応付けられた物理アップリンク共有チャネルのすべての電力制御パラメータに置き換えること、
ＳＲＳリソースセットにおける電力制御パラメータのうちの一部を、ＳＲＳリソースセットまたはＳＲＳリソースに対応付けられたビームリソース指示情報に対応付けられた物理アップリンク共有チャネルの電力制御パラメータのうちの一部に置き換えること、
ＳＲＳリソースセットにおけるすべての電力制御パラメータを、ＳＲＳリソースセットまたはＳＲＳリソースに対応付けられたグラントタイプに対応付けられた物理アップリンク共有チャネルのすべての電力制御パラメータに置き換えること、または、
ＳＲＳリソースセットにおける電力制御パラメータのうちの一部を、ＳＲＳリソースセットまたはＳＲＳリソースに対応付けられたグラントタイプに対応付けられた物理アップリンク共有チャネルの電力制御パラメータのうちの一部に置き換えること、
のうちのいずれか１つを含む。
【０１２６】
いくつかの実施形態において、ＳＲＳリソースセットにおける電力制御パラメータを物理アップリンク共有チャネルの電力制御パラメータに置き換えるステップは、具体的には、
ＳＲＳリソースセットにおける目標受信電力を、物理アップリンク共有チャネルの目標受信電力とＳＲＳリソースセットにおける電力オフセット値との総和に置き換えること、
ＳＲＳリソースセットにおける経路損失補償係数を、物理アップリンク共有チャネルの経路損失補償係数に置き換えること、
ＳＲＳについて構成された経路損失推定の参照信号リソース指示を、物理アップリンク共有チャネルについて構成された経路損失推定の参照信号リソース指示に置き換えること、または
ＳＲＳリソースセットについて構成された閉ループ電力調整量を、物理アップリンク共有チャネルについて構成された閉ループ電力調整量に置き換えること、
のうちのいずれか１つを含む。
【０１２７】
いくつかの実施形態において、決定ユニット４０２がＳＲＳの電力制御パラメータを決定するステップは、具体的には下記のステップを含む。
【０１２８】
ＳＲＳリソースセットが複数の電力オフセット値を含む場合、電力オフセット値とＳＲＳのカテゴリとの対応を基地局およびユーザ機器が予め定める、または基地局が構成情報において示すこと、および
ユーザ機器がＳＲＳのカテゴリに従いＳＲＳリソースセットにおける１つ以上の電力オフセット値を使用すると決定することである。
【０１２９】
いくつかの実施形態において、決定ユニット４０２がＳＲＳの電力制御パラメータを決定するステップは、具体的には下記のステップを含む。
【０１３０】
ユーザ機器は基地局からＳＲＳの電力制御パラメータセットとＳＲＳリソースのＳＲＳリソースセットのうちの一方との相関関係を受ける。
【０１３１】
ユーザ機器は、電力制御パラメータセットと、ＳＲＳリソースセットまたはＳＲＳリソースのうちの一方との相関関係に従い、ＳＲＳの電力制御パラメータを決定する。
【０１３２】
いくつかの実施形態において、決定ユニット４０２がＳＲＳの電力制御パラメータを決定するステップは、具体的には以下のステップを含む。
【０１３３】
構成情報はさらに、基地局からユーザ機器への指示を含み、この指示は、物理アップリンク共有チャネルの電力制御パラメータのうちの一部またはすべてをＳＲＳリソースセットの電力制御パラメータのうちの一部またはすべてとして使用するか否かを指示するために使用される。
【０１３４】
ユーザ機器は、この指示に従い、物理アップリンク共有チャネルの電力制御パラメータのうちの一部またはすべてを、ＳＲＳリソースセットにおける電力制御パラメータのうちの一部またはすべてとして使用する。
【０１３５】
いくつかの実施形態において、決定ユニット４０２がＳＲＳの電力制御パラメータを決定するステップは、具体的には下記のステップを含む。
【０１３６】
各ＳＲＳリソースセットが電力制御パラメータセットを含まない場合、ユーザ機器は、ＳＲＳの電力制御パラメータを、
ユーザ機器が基地局からのユーザ機器レベル構成パラメータにおける電力制御パラメータをＳＲＳの電力制御パラメータとして使用すること、
ユーザ機器が基地局からのセルレベル構成パラメータにおける電力制御パラメータをＳＲＳの電力制御パラメータとして使用すること、
ユーザ機器が物理ランダムアクセスプロセスの最終送信電力をＳＲＳの送信電力として使用すること、または、
ユーザ機器が物理ランダムアクセスプロセスの目標電力をＳＲＳの目標受信電力として使用し、同期信号ブロックを測定することによって得た経路損失をＳＲＳの経路損失として使用し、ＳＲＳの送信電力を計算すること、
のうちのいずれか１つのやり方で、決定する。
【０１３７】
本願のある実施形態において、決定ユニット４０２によって決定され、同一のＳＲＳリソースセットにおける複数のリソースを占有するＳＲＳは、同一の電力制御パラメータを有する。
【０１３８】
本願のある実施形態において、決定ユニット４０２は、同一の送信電力を維持する予め設定された数の期間に従い、この数の期間における同一のＳＲＳリソースセットの複数のＳＲＳリソースを占有するＳＲＳの電力制御パラメータは同一であると判断する。
【０１３９】
いくつかの実施形態において、構成情報はさらにＳＲＳの送信の繰り返しの数を含む。
決定ユニット４０２はさらに下記のステップを実現するように構成されている。
【０１４０】
ユーザ機器は送信の繰り返しの数に従いＳＲＳの電力制御パラメータを調整する。
図５に示されるように、本開示のある実施形態はさらに基地局を提供する。この基地局は構成ユニット５０１とスケジューリングユニット５０２とを含む。
【０１４１】
構成ユニット５０１は、ＵＥのための少なくとも１つのＳＲＳリソースセットを構成するように構成され、ＳＲＳリソースセットは少なくとも１つのＳＲＳリソースを含み、ＳＲＳリソースは、ＳＲＳが占有するリソースを示すため、かつ、ＳＲＳリソースセットまたはＳＲＳリソースとビームリソース指示情報との相関関係を構成するために使用され、ビームリソース指示情報は送信ビームのビームＩＤを指示するために使用される。
【０１４２】
スケジューリングユニット５０２は、構成に従い、ＳＲＳのスケジューリング指示をユーザ機器に送信するように構成されている。
【０１４３】
いくつかの実施形態において、各ＳＲＳリソースセットは少なくとも１つの電力制御パラメータセットを含み、電力制御パラメータセットは、ＪセットのＳＲＳ開ループ電力制御パラメータと、ＫセットのＳＲＳ経路損失測定パラメータと、ＬセットのＳＲＳ閉ループ電力制御パラメータとを含み、Ｊは１以上の整数、Ｋは０以上の整数、Ｌは０以上の整数である。
【０１４４】
いくつかの実施形態において、開ループ電力制御パラメータは、目標受信電力、電力オフセット、または経路損失補償係数のうちの少なくとも１つを含む。
【０１４５】
経路損失測定パラメータは、経路損失測定についての少なくとも１つのダウンリンク参照信号のリソース指示、またはダウンリンク参照信号によって測定された経路損失値を処理するためのルールのうちの、少なくとも１つを含む。
【０１４６】
閉ループ電力制御パラメータは、閉ループ電力調整量を含む。
いくつかの実施形態において、ダウンリンク参照信号は、指定チャネル状態情報参照信号、同期信号における補助同期信号、同期信号におけるプライマリブロードキャストチャネルの復調参照信号、または指定トラッキング参照信号のうちの、いずれか１つまたは任意の組み合わせを含む。
【０１４７】
いくつかの実施形態において、ダウンリンク参照信号によって測定された経路損失値を処理するためのルールは、具体的には、ダウンリンク参照信号によって測定された経路損失値を予め設定された経路損失しきい値と比較し、予め設定された重みの値に従って経路損失しきい値未満の経路損失値に対して加重平均を実行することにより、ＳＲＳの経路損失値を取得すること、を含む。
【０１４８】
いくつかの実施形態において、構成情報は、以下の種類のメッセージ、すなわち、無線リソース制御メッセージ、ＭＡＣ制御要素メッセージ、および物理層シグナリング、のうちのいずれか１つを含む。
【０１４９】
いくつかの実施形態において、ＳＲＳリソースセットはさらに複数の電力オフセット値を含み、電力オフセット値とＳＲＳのカテゴリとの対応は、基地局およびユーザ機器によって予め定められている、または基地局によって構成情報において示される。
【０１５０】
なお、ユーザ機器は、電力オフセット値とＳＲＳのカテゴリとの対応を受けると、ＳＲＳのカテゴリに従い、ＳＲＳリソースセットにおける１つ以上の電力オフセット値を使用すると決定する。
【０１５１】
いくつかの実施形態において、ＳＲＳリソースセットはさらに、ＳＲＳの電力制御パラメータセットとＳＲＳリソースセットまたはＳＲＳリソースとの相関関係を含む。
【０１５２】
なお、ユーザ機器は、ＳＲＳの電力制御パラメータセットとＳＲＳリソースセットまたはＳＲＳリソースのうちの一方との相関関係を受信すると、この電力制御パラメータセットとＳＲＳリソースセットまたはＳＲＳリソースのうちの一方との相関関係に従いＳＲＳの電力制御パラメータを決定する。
【０１５３】
いくつかの実施形態において、スケジューリングユニット５０２はさらに、ユーザ機器が、物理アップリンク共有チャネルの電力制御パラメータのうちの一部またはすべてをＳＲＳリソースセットにおける電力制御パラメータのうちの一部またはすべてとして使用するか否かを指示するように構成されている。
【０１５４】
なお、ユーザ機器は、上記指示を受けると、この指示に従い、物理アップリンク共有チャネルの電力制御パラメータのうちの一部またはすべてをＳＲＳリソースセットにおける電力制御パラメータのうちの一部またはすべてとして使用する。
【０１５５】
いくつかの実施形態において、ＳＲＳリソースセットはさらに、ＳＲＳの送信の繰り返しの数を含む。
【０１５６】
なお、ユーザ機器は、ＳＲＳの送信の繰り返しの数を受けると、送信の繰り返しの数に従い、ＳＲＳの電力制御パラメータを調整する。
【０１５７】
本願の実施形態は、本願をさらに説明するためにいくつかの代替実施形態をさらに提供する。なお、代替実施形態は本願をより良く説明するためだけのものであって、本願を何らかの不適切なやり方で限定するものではない。以下の実施形態は別々に存在していてもよく、異なる実施形態の技術的特徴を組み合わせて１つの実施形態にして併用してもよい。
【０１５８】
以下でＳＲＳ電力オフセット値の構成を提供する。
基地局は、ユーザ機器のために少なくとも１セットのＳＲＳ電力オフセット値を構成する。
【０１５９】
ＳＲＳ電力オフセット値の各セットは、少なくとも１つのＳＲＳ電力オフセット値を含み、各ＳＲＳ電力オフセット値は異なるシナリオをサポートするために使用される。いくつかの例を挙げる。
１）ＳＲＳ電力オフセット値の各セットは３つの値を含み、これらはそれぞれ、周期的なＳＲＳ送信、非周期的なＳＲＳ送信、および非パーシステントなＳＲＳ送信に使用される。
２）代替的に、ＳＲＳ電力オフセット値の各セットは２つの値を含み、これらはそれぞれ、異なるＳＲＳ送信の所定のトリガタイプに使用される。
【０１６０】
ＳＲＳ電力オフセット値のセットにおけるＳＲＳ電力オフセット値の位置とシナリオとの対応は、予め定められている。
【０１６１】
ＳＲＳ電力オフセット値の各セットは、異なる種類のＳＲＳ送信をサポートするために使用される。以下、いくつかの例を挙げる。
１）２セットのＳＲＳ電力オフセット値が２種類のＳＲＳ送信をサポートし、第１のセットは、電力制御パラメータをＰＵＳＣＨと共有するＳＲＳの電力計算をサポートするために使用され、第２のセットは他の種類のＳＲＳの電力計算をサポートするために使用される。
２）代替的に、３セットのＳＲＳ電力オフセット値が３種類のＳＲＳ送信をサポートし、第１のセットは、電力制御パラメータをＰＵＳＣＨと共有するＳＲＳの電力計算をサポートするために使用され、第２のセットは、ダウンリンクチャネル状態情報（channel state information）（ＣＳＩ）を取得するために使用されるＳＲＳの電力計算をサポートするために使用され、第３のセットは、他の種類のＳＲＳの電力計算をサポートするために使用される。
３）代替的に、６セットのＳＲＳ電力オフセット値が６種類のＳＲＳ送信をサポートし、第１のセットは電力制御パラメータをＰＵＳＣＨと共有するＳＲＳの電力計算をサポートするために使用され、第２のセットはＣＳＩを取得するために使用されるＳＲＳの電力計算をサポートするために使用され、第３、第４および第５のセットは、それぞれアップリンクビーム管理に使用されるタイプＵ１、Ｕ２およびＵ３のＳＲＳの電力計算をサポートするために使用され、第６のセットは他の種類のＳＲＳの電力計算をサポートするために使用される。
４）代替的に、１セットのＳＲＳ電力オフセット値が、１種類のＳＲＳ送信のみをサポートし、先に述べたすべての種類のＳＲＳ送信に使用される。
【０１６２】
ＳＲＳ電力オフセット値のセットの数が１よりも大きい場合、ＳＲＳ電力オフセット値の各セットとＳＲＳのカテゴリとの関係は、予め定められている、または基地局によって指示される。
【０１６３】
ユーザ機器は、ＳＲＳ送信のシナリオとＳＲＳのカテゴリとに従って電力オフセット値を決定する。
【０１６４】
基地局による指示の方法は、以下のうちの少なくとも１つを含む。
１）基地局は、ＳＲＳ電力オフセット値の各セットとＳＲＳのカテゴリとの対応を設定する。たとえば、サポートされる対応のマッピングテーブルを予め定め、基地局は、ＲＲＣ情報を用いてＵＥのためのマッピングテーブルの１アイテムを設定する。
２）代替的に、基地局は、ＳＲＳリソースセットにおいて、対応するＳＲＳ電力セットを指示する。たとえば、基地局は、ＳＲＳ電力オフセット値のセットのアイデンティティ（ＩＤ）を指示する。
３）代替的に、基地局は、ＳＲＳを作動させるまたはトリガするメッセージにおいて対応するＳＲＳ電力セットを指示する。たとえば、基地局は、ＳＲＳ電力オフセット値のセットのＩＤを指示する。
【０１６５】
上記ＳＲＳ電力オフセット値は下記の方式のうちの１つであってもよい。
方式１の場合、基地局が設定した目標電力のセル固有（cell specific）部分（ｐ０−Ｎｏｍｉｎａｌとも呼ぶ）およびＵＥ固有（UE specific）部分（ｐ０−ＵＥとも呼ぶ）に基づいて、各種ＳＲＳの電力オフセット値のセットを、異なるシナリオの相違を反映させるように構成する。この場合、ＳＲＳの目標電力は、３つの部分、すなわち、セル固有部分、ＵＥ固有部分、およびＳＲＳの電力オフセット値からなる。セル固有部分およびＵＥ固有部分の目標電力は、ＳＲＳについて特別に設定された値であってもよく、または、基地局によって明示的に設定もしくは指示される、またはこの情報を暗黙的に指示する、ＰＵＳＣＨについて設定された値として使用されてもよい。詳細については後述の例を参照されたい。ＳＲＳ電力オフセット値は具体的にはＳＲＳのために設定される。
【０１６６】
方式２の場合、基地局が設定した目標電力のセル固有部分（ｐ０−Ｎｏｍｉｎａｌとも呼ぶ）に基づいて、ＵＥ固有部分とＳＲＳ電力オフセット値とを組み合わせて設定し、組み合わせた２つの部分を、ＳＲＳ電力オフセット値またはＳＲＳのＵＥ固有目標電力値と呼んでもよい。これらの組み合わされた部分はなおも上記異なるシナリオの相違を反映させる必要があるので、この例における上記ＳＲＳの電力オフセット値のセットは、組み合わせた２つの部分の名称に置き換えてもよい。セル固有部分の目標電力は、ＳＲＳについて特別に設定された値であってもよく、または、基地局によって明示的に設定もしくは指示される、またはこの情報を暗黙的に指示する、ＰＵＳＣＨについて設定された値として使用されてもよい。詳細については後述の例を参照されたい。ＳＲＳ電力オフセット値（ＳＲＳのＵＥ固有目標電力値とＳＲＳの電力オフセット値とを組み合わせた値）は、ＳＲＳについて特別に設定される。
【０１６７】
以下はＳＲＳ固有（SRS-specific）のｊ、ｋおよびｌならびにＳＲＳスケジューリング情報に対応する方式の構成を提供する。
【０１６８】
基地局は、ＵＥについてＪセットのＳＲＳ開ループ電力制御パラメータを設定し、ＳＲＳ開ループ電力制御パラメータの各セットは、目標受信電力Ｐ０または経路損失補償係数αのうちの少なくとも一方を含み、Ｊは１以上の整数である。ＳＲＳ開ループ電力制御パラメータの各セットはｊによって識別され、ｊは整数であり、ｊは０以上Ｊ未満である。
【０１６９】
基地局は、ＵＥについてＫセットのＳＲＳ経路損失測定パラメータを設定し、ＳＲＳ経路損失測定パラメータの各セットは、経路損失測定の参照信号（ＲＳ）リソースタイプ指示、経路損失測定のＲＳリソース指示、および経路損失測定のための参照信号の複数の経路損失値を処理するためのルールを含み、Ｋは０以上の整数である。ＳＲＳ経路損失測定パラメータの各セットはｋによって識別され、ｋは整数であり、ｋは０以上である。
【０１７０】
基地局は、ＵＥについてＬセットのＳＲＳ閉ループ電力制御パラメータを設定し、ＳＲＳ閉ループ電力制御パラメータの各セットは、ＳＲＳ閉ループ電力制御ＩＤのうちの少なくとも１つを含み、Ｌは０以上の整数である。ＳＲＳ閉ループ電力制御パラメータの各セットはｌによって識別され、ｌは整数であり、ｌは０よりも大きくＬ未満である。
【０１７１】
基地局は、ＵＥについて少なくとも１つのＳＲＳリソースセットを構成し、各ＳＲＳリソースセットは少なくとも１つのＳＲＳリソースを含む。各ＳＲＳリソースは、ＳＲＳによって占有されるリソースを指示し、これは、時間ドメイン、周波数ドメイン、符号ドメインその他のパラメータを含む。ＳＲＳリソースは送信ビームに対応付けられ、この相関関係は、無線リソース制御（ＲＲＣ）メッセージによって構成されてもよく、またはＭＡＣ制御要素（ＣＥ）メッセージによって指示されてもよく、またはダウンリンク制御情報（ＤＣＩ）等の物理層シグナリングによって指示されてもよい。
【０１７２】
基地局は、ＳＲＳを送信するＵＥを指示し、これは少なくともＳＲＳリソースセットおよび／またはＳＲＳリソースの指示を含む。ＳＲＳに対応する電力制御パラメータは以下の方式のうちの１つで決定される。
【０１７３】
方式１の場合、ｊ、ｋおよびｌと、ＳＲＳリソースセットまたはＳＲＳリソース指示（ＳＲＩ）との関係が構成される。
【０１７４】
基地局は、ＳＲＳ開ループ電力制御パラメータとＳＲＳリソースまたはＳＲＳリソースセットのうちの一方との相関関係を構成する、または指示する。
【０１７５】
Ｋが０よりも大きい場合、基地局は、ＳＲＳ経路損失測定パラメータとＳＲＳリソースまたはＳＲＳリソースセットとの相関関係を構成または指示する。
【０１７６】
Ｌが０よりも大きい場合、基地局は、ＳＲＳ閉ループ電力制御パラメータとＳＲＳリソースまたはＳＲＳリソースセットとの相関関係を構成または指示する。
【０１７７】
上記相関関係に従い、ＵＥは、ＳＲＳの送信電力の計算に必要な、ＳＲＳ開ループ電力制御パラメータ、ＳＲＳ経路損失測定パラメータおよびＳＲＳ閉ループ電力制御パラメータを含むパラメータを決定する。
【０１７８】
方式２の場合、ｊ、ｋ、ｌはそれぞれＳＲＳリソースセットにおいて設定され、１つのＳＲＳリソースセットは１セットまたは複数セットの電力制御パラメータをサポートする。
【０１７９】
ＵＥについて基地局が設定したＪセットのＳＲＳ開ループ電力制御パラメータは、ＳＲＳ開ループ電力制御パラメータＩＤによって区別される。
【０１８０】
ＵＥについて基地局が設定したＫセットのＳＲＳ経路損失測定パラメータは、ＳＲＳ経路損失測定パラメータＩＤによって区別される。
【０１８１】
ＵＥについて基地局が設定したＬセットのＳＲＳ閉ループ電力制御パラメータは、ＳＲＳ閉ループ電力制御パラメータＩＤによって区別される。
【０１８２】
基地局は、ＳＲＳ開ループ電力制御パラメータＩＤ、ＳＲＳ経路損失測定パラメータＩＤ、およびＳＲＳ閉ループ電力制御パラメータＩＤを、ＳＲＳリソースセットにおいて搬送する。ＵＥは、同一のパラメータを使用してＳＲＳリソースセットにおけるすべてのＳＲＳリソースの送信電力を計算する。
【０１８３】
ＳＲＳリソースセットにおけるＳＲＳリソースが２つ以上の予め設定された時間単位を占有する場合、ＵＥは同一のパラメータを使用することにより送信電力を計算し、一定の時間において値を取る。これに代えて、１つのＳＲＳリソースについてＵＥが計算した送信電力は、時間ドメインにおいて繰り返されるＳＲＳリソースを含む、このＳＲＳリソースセットのすべてのＳＲＳリソースに適用される。
【０１８４】
予め設定された時間単位は、ＯＦＤＭシンボル、スロット、サブフレーム、フレーム、または未来のシステムの時間単位のうちの１つである。
【０１８５】
基地局は、ＳＲＳ開ループ電力制御パラメータＩＤ、ＳＲＳ経路損失測定パラメータＩＤ、およびＳＲＳ閉ループ電力制御パラメータＩＤというＳＲＳ電力制御パラメータＩＤの、２セット以上を、ＳＲＳリソースセットにおいて搬送することもできる。基地局は、ＳＲＳ電力制御パラメータＩＤとＳＲＳリソースとの対応を指示する必要がある。ＳＲＳ電力制御パラメータの各セットによって指示される１セットの電力制御パラメータが対応するＳＲＳリソースに適用される。
【０１８６】
方式３の場合、基地局はｊ、ｋおよびｌ間の相関を構成し、相関ＩＤを使用することによりこの構成を適用し、これが電力制御パラメータの１つ以上のセットをサポートする。
【０１８７】
基地局は、ＳＲＳ開ループ電力制御パラメータ、ＳＲＳ経路損失測定パラメータ、およびＳＲＳ閉ループ電力制御パラメータ間の相関を構成し、ＳＲＳ電力制御パラメータ相関ＩＤを用いて上記パラメータ間の異なる相関関係を指示する。
【０１８８】
基地局は、少なくとも１つのＳＲＳ電力制御パラメータ相関ＩＤをＳＲＳリソースセットにおいて搬送する。
【０１８９】
ＳＲＳ電力制御パラメータ相関ＩＤの数が１の場合、ＵＥは、同一のパラメータを用いてＳＲＳリソースセットにおけるすべてのＳＲＳリソースの送信電力を計算する。
【０１９０】
ＳＲＳ電力制御パラメータ相関ＩＤの数が２以上の場合、基地局は、ＳＲＳ電力制御パラメータＩＤとＳＲＳリソースとの対応を指示する必要がある。各電力制御パラメータ相関ＩＤが指示する一組の電力制御パラメータが対応するＳＲＳリソースに適用される。
【０１９１】
ＳＲＳリソースセットにおいて、またはＳＲＳをトリガする物理層情報において、基地局は、ＵＥのＳＲＳが占有するリソースブロック（ＲＢ）の数を指示する。
【０１９２】
上記方式により、ＵＥは、ＳＲＳ開ループ電力制御パラメータ、ＳＲＳ経路損失測定パラメータ、ＳＲＳ閉ループ電力制御パラメータ、およびＳＲＳが占有するＲＢの数を取得し、上記パラメータを使用して送信電力を計算する。たとえば以下の式はある実装方式である。
【０１９３】
【数２】
2021503788.tif 000004
【０１９４】
この式において、ｉはサブフレーム番号、スロット番号、およびＯＦＤＭシンボルの番号等の時間単位番号であり、ｊはＳＲＳ開ループ電力制御パラメータセットの番号であり、ｋはＳＲＳ経路損失測定パラメータの番号であり、ｌはＳＲＳ英ループ電力制御パラメータセットの番号である。ＭＳＲＳ，ｃ（ｉ）は、ＳＲＳが占有するＲＢの数でありこのパラメータは存在しない場合がある。ＳＲＳ開ループ電力制御パラメータセットは、αＳＲＳ，ｃ（ｊ）およびＰ０＿ＳＲＳ，ｃ（ｊ）を含み、Ｐ０＿ＳＲＳ，ｃ（ｊ）は、セル固有部分（ｐ０−Ｎｏｍｉｎａｌとも呼ぶ）およびＵＥ固有部分（ｐ０−ＵＥとも呼ぶ）という２つの部分からなり、ＰＬＳＲＳ，ｃ（ｋ）はＳＲＳ経路損失測定パラメータであり、ｈｃ（ｉ，ｌ）はＳＲＳ閉ループ電力制御パラメータであり、ｌは、ＳＲＳ閉ループ電力制御プロセスＩＤまたは閉ループ電力制御ループＩＤを示す。
【０１９５】
ビーム管理、アップリンクチャネル状態情報取得（ＵＬ  ＣＳＩ取得）、およびダウンリンクチャネル状態情報取得（ＤＬ  ＣＳＩ取得）等の異なる機能をサポートするために、ＳＲＳ固有ｊ、ｋおよびｌから、またはＰＵＳＣＨのｊ１、ｋ１およびｌ１から、ＮＲのＳＲＳを選択する方法について、以下で説明する。ビーム管理のためのＳＲＳはさらに、Ｕ１、Ｕ２およびＵ３等の異なる段階を有し得る。Ｕ１はアップリンク送信および受信ビームのトレーニングであり、Ｕ２はアップリンク受信ビームのトレーニングであり、Ｕ３はアップリンク送信ビームのトレーニングである。Ｕ１、Ｕ２およびＵ３におけるトレーニングすべきビームの数およびビームのレベルは異なっていてもよい。
【０１９６】
ＳＲＳ信号はより特殊である。ＳＲＳ送信の一部分はビームトレーニングを実行するためである、すなわちビーム管理機能のためのＳＲＳであり、ＳＲＳ送信の別の一部分はチャネル調査を実行するためである、すなわちチャネル状態情報を取得するためのものである。前者の一部分の送信ビームは、特に初期段階のビームトレーニングの場合、基地局が指定しなくてもよい。基地局は、ＵＥがＳＲＳを送信するのに十分なリソースをスケジューリングするだけであり、ＵＥに同じ送信ビームを使用することを要求するリソースを示し、いくつかの実施形態ではリソースと送信ビームとの対応をＵＥが決定する。トレーニング結果は、基地局が、後続のＳＲＳ／ＰＵＳＣＨ／ＰＵＣＣＨ送信の送信ビームを示すための基準として使用する。初期段階のＳＲＳを基準として使用し、ビームトレーニングのためであるかチャネル調査のためであるかに関係なく、次のＳＲＳ送信を基準として使用する可能性がある。
【０１９７】
初期段階ではない段階のビームトレーニングは以下のケースに分類される。
ケース１：前の基準ＳＲＳ送信ビームに依存する。
【０１９８】
ケース１の場合、送信するＳＲＳの送信ビームがＰＵＳＣＨの送信ビームと同一であれば、同一の電力制御パラメータを使用してもよく、同一の閉ループ電力制御プロセスを共有してもよい。
【０１９９】
送信するＳＲＳリソースセットが複数のＳＲＳリソースを有する場合、その対応する送信ビームセットはＰＵＳＣＨの送信ビームを含み、これはまた、ＰＵＳＣＨの電力制御パラメータおよび閉ループ電力制御プロセスを共有する可能性がある。
【０２００】
送信するＳＲＳの送信ビームがＰＵＳＣＨの送信ビームとは異なるがほぼ同一である、すなわち特定のＱＣＬ関係が存在する場合、電力制御パラメータおよび閉ループ電力制御プロセスも共有されてもよい。
【０２０１】
本願に記載の特定のＱＣＬ関係は、ＳＲＳおよびＰＵＳＣＨの送信リソースの少なくともビームリソースが何らかの類似性、たとえば同様の方向を有することを意味する。ビーム間の関係は一般的にＱＣＬパラメータを用いて測定するので、特定のＱＣＬ関係は特定のＱＣＬ推定を意味する。たとえば、ＱＣＬパラメータにおけるパラメータの特定の部分は測定のしきい値要件を満たす、たとえば、ＱＣＬパラメータにおける空間パラメータは特定のしきい値要件を満たす。比較するビームがそれぞれアップリンクまたはダウンリンクビームの場合、送信端が異なるので、ビームの相関関係を測定するためにＱＣＬを使用するのは不正確である。この場合、ビームの相関関係を、アップリンクパラメータ信号とダウンリンクパラメータ信号との相関関係を用いて判断してもよく、アップリンク（ダウンリンク）参照信号の空間パラメータ特性は、ダウンリンク（アップリンク）参照信号が通るチャネルの空間パラメータ特性によって判断してもよい。
【０２０２】
ケース２：前の基準ＳＲＳ送信ビームに依存しない。
ケース２の場合、前の基準ＳＲＳ送信ビームに依存しないので、独立した電力制御を実行するのが好適である。
【０２０３】
上記ケースの各々について、基地局が示すＵＥへの送信ビームは、基準として使用する上記ＳＲＳの送信ビームと同一であるが、基地局は、スケジューリング状態に従って受信ビームを変更してもよく、そうすると、上記ケースにおいて、ＵＥは、いくつかの実施形態において条件に従ってＰＵＳＣＨと電力制御パラメータおよび閉ループ電力制御プロセスを共有するか否かを判断し、また、基地局をサポートすることにより、ＰＵＳＣＨと電力制御パラメータおよび閉ループ電力制御プロセスを共有するか否かを指示することが必要である。
【０２０４】
基地局はＵＥのためのＳＲＳ固有電力制御パラメータを構成し、そのために、代替実施形態２の関連する説明を参照する。
【０２０５】
基地局は、ＵＥのためにＰＵＳＣＨの電力制御パラメータを構成し、その説明は次の通りである。
１）基地局は、ＵＥのためにＪ１セットのＰＵＳＣＨ開ループ電力制御パラメータを構成し、ＰＵＳＣＨ開ループ電力制御パラメータの各セットは、ＰＵＳＣＨ目標受信電力Ｐ０およびＰＵＳＣＨ経路損失補償ファクタαのうちの少なくとも１つを含み、Ｊ１は１以上の整数である。ＰＵＳＣＨ開ループ電力制御パラメータの各セットをｊ１で示し、ｊ１は整数であり、ｊ１は０位以上Ｊ１未満である。
２）基地局は、ＵＥのためにＫ１セットのＰＵＳＣＨ経路損失測定パラメータを構成し、ＰＵＳＣＨ経路損失測定パラメータの各セットは、経路損失測定の少なくとも１つの参照信号（ＲＳ）リソースタイプ指示、経路損失測定のＲＳリソース指示、および、経路損失測定のために参照信号の複数の経路損失値を処理するためのルールのうちの少なくとも１つを含み、Ｋ１は１以上の整数である。ＰＵＳＣＨ経路損失測定パラメータの各セットは、ｋ１によって識別され、ｋ１は整数であり、ｋ１は０以上Ｋ１未満である。
３）基地局がＬ１セットのＰＵＳＣＨ閉ループ電力制御パラメータを構成し、ＰＵＳＣＨ閉ループ電力制御パラメータの各セットは、ＰＵＳＣＨ閉ループ電力制御ＩＤのうちの少なくとも１つを含み、Ｌ１は１以上の整数である。ＰＵＳＣＨ閉ループ電力制御パラメータの各セットはｌ１によって識別され、ｌ１は整数であり、ｌ１は０よりも大きくＬ１未満である。
【０２０６】
基地局は、ＵＥのために少なくとも１つのＳＲＳリソースセットを構成し、各ＳＲＳリソースセットは少なくとも１つのＳＲＳリソースを含む。各ＳＲＳリソースは、ＳＲＳが占有するリソースを指示し、これは時間ドメイン、周波数ドメイン、符号ドメインその他のパラメータを含む。ＳＲＳリソースセットは、ＳＲＳリソースが周期的、非周期的、またはセミスタティックであることを指示する。異なるＳＲＳリソースセットが異なる方式でスケジューリングされてもよい。たとえば、周期的方式の場合、ＲＲＣによる構成が必要なだけであり、ＵＥは対応する位置でＳＲＳを送信する（たとえば時間周波数ドメイン）。セミスタティック方式の場合、ＲＲＣによる構成が必要であり、ＭＡＣ  ＣＥを起動に使用し、ＵＥは起動されたＳＲＳリソースセットが指示する位置でＳＲＳを送信する必要がある。非周期的方式の場合、ＲＲＣによる構成が必要であり、物理層シグナリングはＵＥが指定された位置でＳＲＳを送信するようトリガする。非周期的方式の場合、ＭＡＣ  ＣＥはさらに、ＲＲＣにより構成されたＳＲＳリソースセットの一部を起動することにより、物理層トリガシグナリングを通じてＳＲＳリソースセットの指示オーバヘッドを減じる。
【０２０７】
基地局は、ＳＲＳリソースと送信ビームとの相関関係を指示する。この相関関係は、ＲＲＣメッセージによって構成されてもよく、またはＭＡＣ  ＣＥによって指示されてもよく、またはＤＣＩ等の物理層シグナリングによって指示されてもよい。
【０２０８】
基地局は、上記周期的方式、非周期的方式、またはセミスタティック方式でＳＲＳを送信するようＵＥに指示し、ＵＥは、ＳＲＳリソースセットおよび／またはＳＲＳリソースの指示を判断してもよい。ＳＲＳに対応する電力制御パラメータは以下の方法のうちの１つによって決定される。
【０２０９】
方法１の場合、基地局は、ＳＲＳがＰＵＳＣＨの電力制御を共有するか否かを明確に指示する。
【０２１０】
基地局は、このＳＲＳリソース（セット）が電力制御プロセスをＰＵＳＣＨと共有するか否かを指示する。
【０２１１】
ＳＲＳリソース（セット）がＰＵＳＣＨと電力制御プロセスを共有するか否かとは、ＰＵＳＣＨの開ループ電力制御パラメータ、経路損失測定パラメータおよび閉ループ電力制御プロセスを共有するか否か、または、ＰＵＳＣＨの開ループ電力制御パラメータ、経路損失測定パラメータおよび閉ループ電力制御プロセスをそれぞれ共有するか否かを指示することであってもよい。
【０２１２】
基地局は、ＳＲＳリソース（セット）が電力制御プロセスをＰＵＳＣＨと共有するか否かを、ＲＲＣシグナリングを用いて構成してもよく、または物理層シグナリングを用いて指示してもよい。
【０２１３】
いくつかの実施形態において、周期的ＳＲＳリソースセットの場合、基地局は、ＲＲＣシグナリングを用いることにより、電力制御プロセスの情報をＰＵＳＣＨと共有するか否かを構成し、基地局は、電力制御プロセスの情報をＰＵＳＣＨと共有するか否かをＲＲＣシグナリングを用いることにより構成する、またはＭＡＣ  ＣＥを用いて指示し、非周期的なＳＲＳリソースセットの場合、基地局は、電力制御プロセスの情報をＰＵＳＣＨと共有するか否かを、ＲＲＣシグナリングまたはＭＡＣ  ＣＥ、または物理層シグナリングを用いることにより、指示する。
【０２１４】
方式２の場合、共有するか否かをＵＥ自身が判断する。
ＵＥは、ＳＲＳリソースと送信ビームとの対応に従い、電力制御パラメータおよび閉ループ電力制御プロセスをＰＵＳＣＨと共有するか否かを判断する。
【０２１５】
ＵＥが、現在のＳＲＳの送信ビームが前に送信されたパイロット、たとえば前のＳＲＳの送信ビームまたは前のＣＳＩ−ＲＳの受信ビームを参照すると判断した場合、ＳＲＳの送信ビームとＰＵＳＣＨの送信ビームとの関係に従い、ＰＵＳＣＨの電力制御パラメータおよび閉ループ電力制御プロセスを共有するか否かを判断する。
【０２１６】
ＵＥが、現在のＳＲＳの送信ビームが、前に送信されたパイロットのビームリソースを参照しないと判断した場合、ＳＲＳ送信ビームはＰＵＳＣＨの電力制御パラメータとは無関係である。
【０２１７】
ＳＲＳが電力制御パラメータおよび閉ループ電力制御プロセスをＰＵＳＣＨと共有する場合、ｊ、ｋおよびｌを決定する方式は次の通りである。
【０２１８】
方式は、さらに指示する必要はなく、ビームがＱＣＬ関係と同一か否かを判断に使用する。
【０２１９】
ＳＲＳリソースセットに対応付けられた送信ビームの数が１である場合、ＵＥは、ＳＲＳリソースセットに対応付けられた送信ビームおよびＰＵＳＣＨの電力制御パラメータに対応付けられたビームリソースを比較することにより、
１）同一のビームを共有し得る、
２）特定のＱＣＬ関係を満たす異なるビームを共有し得る、および
３）異なるビームが特定のＱＣＬ関係を満たしておらず独立して構成されたＳＲＳ固有電力制御リソースのデフォルトセットを使用する、
と判断する。
【０２２０】
ＳＲＳリソースセットに対応付けられた送信ビームの数が１よりも大きく、これら複数の送信ビームの送信電力が同一である必要がある場合、
１）ＰＵＳＣＨの電力制御パラメータに対応付けられたＳＲＳの複数の送信ビームのうちの少なくとも１つがＰＵＳＣＨの電力制御パラメータに対応付けられたビームリソースと同一であるときは、ＰＵＳＣＨのこの同一ビームリソースに対応付けられたパラメータを共有することができ、
２）ＰＵＳＣＨの電力制御パラメータに対応付けられたＳＲＳの複数の送信ビームの少なくとも１つおよびＰＵＳＣＨの電力制御パラメータに対応付けられたビームリソースが特定のＱＣＬ関係を満たすときは、ＰＵＳＣＨのこの同一ビームリソースに対応付けられたパラメータを共有することができ、
３）ＰＵＳＣＨの電力制御パラメータに対応付けられたＳＲＳの複数の送信ビームのうちのいずれもがＰＵＳＣＨの電力制御パラメータに対応付けられたビームリソースと同一でないまたは特定のＱＣＬ関係を満たさないときは、独立して構成されたＳＲＳ固有の電力制御リソースのデフォルトセットを使用する。
【０２２１】
ビームを使用しないシナリオの場合、ＳＲＳリソースセットにおけるすべてのＳＲＳリソースがＰＵＳＣＨの電力制御パラメータを共有する。
【０２２２】
これに代えて、ＳＲＳリソースセットは、グラントタイプに従いＰＵＳＣＨの電力制御パラメータと一致する。たとえば、ＰＵＳＣＨのグラントフリー電力制御パラメータをグラントフリーＳＲＳリソースセットに使用し、ＰＵＳＣＨのグラントベースの電力制御パラメータをグラントフリーＳＲＳリソースセットに使用する。これに代えて、ＰＵＳＣＨのグラントフリー電力制御パラメータを周期的およびセミスタティックＳＲＳリソースセットに使用し、ＰＵＳＣＨのグラントベースの電力制御パラメータを非周期的ＳＲＳリソースセットに使用する。
【０２２３】
さらなる指示のための方式が必要である。
基地局は、ＰＵＳＣＨのどの電力制御パラメータをＳＲＳリソースに適用するかを指示する。この指示方式は以下を含む。
【０２２４】
独立して構成されたＳＲＳの場合、開ループ電力制御パラメータ、経路損失測定パラメータおよび閉ループ電力制御パラメータは代替実施形態２を参照する。
【０２２５】
ＳＲＳリソースセットおよびＰＵＳＣＨが電力制御パラメータを共有する場合、基地局は、ＳＲＳリソースセットに対し、ＰＵＳＣＨのどの開ループ電力制御パラメータ、経路損失測定パラメータおよび閉ループ電力制御パラメータを使用するかを指示する。
【０２２６】
ＳＲＳがＰＵＳＣＨの電力制御パラメータを共有する場合、ＰＵＳＣＨの電力制御パラメータから、以下のパラメータ、すなわち、目標受信電力Ｐ０＿ＰＵＳＣＨ、α＿ＰＵＳＣＨ、ＰＵＳＣＨの電力測定構成、およびＰＵＳＣＨ閉ループ電力制御の数を取得し、電力オフセット値を、ＳＲＳ送信のシナリオおよびＳＲＳのカテゴリに従い決定する必要がある。詳細については実施形態１の関連説明を参照されたい。最後にＳＲＳの送信電力が決定される。
【０２２７】
ＳＲＳがＰＵＳＣＨの電力制御パラメータを共有する場合、ＰＵＳＣＨの電力制御パラメータから、以下のパラメータ、すなわち、α＿ＰＵＳＣＨ、ＰＵＳＣＨのＰＬ測定構成、およびＰＵＳＣＨ閉ループ電力制御の数を取得し、電力オフセット値を、ＳＲＳ送信のシナリオおよびＳＲＳのカテゴリに従い決定する必要がある。電力オフセット値はＵＥ固有目標電力部分を含み、ＰＵＳＣＨのＵＥ固有目標電力を共有する必要はない。詳細については実施形態１の関連説明を参照されたい。最後にＳＲＳの送信電力が決定される。
【０２２８】
以下は、ＳＲＳリソースセットが電力制御パラメータ構成を含まないであろう場合の実施形態を提供する。
【０２２９】
基地局は、ＵＥのために少なくとも１つのＳＲＳリソースセットを構成する。各ＳＲＳリソースセットは少なくとも１つのＳＲＳリソースを含む。
【０２３０】
以下の条件のうちの１つまたは複数の条件の組み合わせが満たされる場合、ＳＲＳリソースセットは電力制御パラメータを含まない。
１）ＳＲＳリソースセットは周期的なものとして構成される。
２）ＳＲＳリソースセットはセミスタティックなものとして構成される。
３）ＳＲＳリソースセットにおけるＳＲＳリソースの数が１よりも大きい。
４）ＳＲＳリソースセットにおけるＳＲＳリソースの繰り返しの数が１よりも大きい。
５）ＳＲＳリソースセットにおけるＳＲＳリソースのアンテナポートの数が１である。
６）ＳＲＳリソースセットにおけるＳＲＳリソースの送信ビームリソース情報は基地局にとってトランスペアレントである。
７）ＳＲＳ、トラッキング参照信号リソース指示（tracking reference signal resource indication）（ＴＲＩ）、送信プリコーディング行列インジケータ（transmitted precoding matrix indicator）（ＴＰＭＩ）、同期信号ブロック（synchronization signal block）（ＳＳブロック）指示、またはＣＳＲ−ＲＳ指示（ＣＲＩ）等の送信ビームリソース情報が、ＳＲＳリソースセットにおいて構成されていない。
【０２３１】
電力制御パラメータを決定する方式は以下のうちの１つである。
１）基地局が、ＵＥのためのパラメータのセットを構成することにより、上記条件を満たすＳＲＳリソースセットにおけるＳＲＳリソースの電力を計算する。
２）基地局が、セルレベルパラメータのセットを構成することにより、すべてのＵＥの上記条件を満たすＳＲＳリソースセットにおけるＳＲＳリソースの電力を計算する。
３）ＵＥが物理ランダムアクセスチャネル（physical random access channel）（ＰＲＡＣＨ）プロセスの最終電力を採用する。
４）ＵＥが、１つ以上のＳＳブロックを測定し、ＰＬを決定し、Ｐ０＿ＳＲＳとしてＰＲＡＣＨのために構成された目標電力値および以下の式を用いてＳＲＳリソースセットにおけるすべてのＳＲＳリソースの送信電力を計算する。
【０２３２】
【数３】
2021503788.tif 000005
【０２３３】
いくつかの実施形態において、上記方式のうちの１つを使用すると予め定められる。
いくつかの実施形態において、基地局は上記方式のうちの１つを使用すると設定するまたは指示する。
【０２３４】
以下は、ＳＲＳリソースセットがデフォルト電力制御パラメータ構成を含み特定の条件が満たされたときにＰＵＳＣＨと共有する実施形態を提供する。
【０２３５】
基地局はＵＥのために少なくとも１つのＳＲＳリソースセットを構成する。各ＳＲＳリソースセットは少なくとも１つのＳＲＳリソースを含む。
【０２３６】
少なくとも１つの電力制御パラメータセットが各ＳＲＳリソースセットに対して構成される。
１）ＳＲＳリソースセットが１つの電力制御パラメータセットのみを含む場合、ＳＲＳリソースセットにおけるすべてのＳＲＳリソースはこの電力制御パラメータセットを用いて電力を計算する。
２）ＳＲＳリソースセットが２つ以上の電力制御パラメータセットを含む場合、たとえばＮの電力制御パラメータセット（Ｎ＞１）を含む場合、ＳＲＳリソースセットにおけるＳＲＳリソースはＮグループに分割され、ＳＲＳリソースの各グループが対応する１つの電力制御パラメータを用いて電力を計算する。
【０２３７】
電力制御パラメータセットは以下のパラメータ
１）ＳＲＳ電力オフセット値、Ｐ０＿ＳＲＳ＿ＯＦＦＳＥＴ、
２）ＳＲＳ目標受信電力、Ｐ０＿ＳＲＳ、
３）ＳＲＳ経路損失補償ファクタ、α＿ＳＲＳ、
４）経路損失（ＰＬ）測定パラメータ、または
５）ＳＲＳ閉ループ電力制御プロセス、
のうちの少なくとも１つを含む。
【０２３８】
経路損失（ＰＬ）測定推定のための参照信号（ＲＳ）リソース指示は、同一のリソースプールをＰＵＳＣＨの以下の経路損失測定パラメータと共有する、すなわち、基地局はＰＬ測定推定パラメータのリソースプールを構成し、ＳＲＳリソースセットはリソースプールの数を指示するだけである。
【０２３９】
経路損失測定パラメータは、経路損失測定のための参照信号（ＲＳ）リソースタイプ指示、経路損失測定のための参照信号（ＲＳ）リソース指示、または経路損失測定のために参照信号の複数の経路損失値を処理するためのルール、のうちの少なくとも１つを含む。
【０２４０】
ＳＲＳ閉ループ電力制御プロセスは、ＳＲＳ固有閉ループ電力制御プロセスを意味し、各セルは１つ以上のプロセスで構成されてもよく、各セルにおいて同一プロセスを有するＳＲＳリソースセットは閉ループ電力調整量を共有してもよい。
【０２４１】
基地局は、ＵＥのためのＰＵＳＣＨの以下の電力制御パラメータを構成してもよい。
１）Ｊ１セットのＰＵＳＣＨ開ループ電力制御パラメータ。ＰＵＳＣＨ開ループ電力制御パラメータの各セットは、目標受信電力Ｐ０、または経路損失補償ファクタαのうちの少なくとも１つを含み、Ｊ１は１以上の整数である。
２）Ｋ１セットのＰＵＳＣＨ経路損失測定パラメータ。ＰＵＳＣＨ経路損失測定パラメータの各セットは、経路損失測定のための参照信号（ＲＳ）リソースタイプ指示、経路損失測定のための参照信号（ＲＳ）リソース指示、または経路測定のためにＲＳの複数のＰＬ値を処理するためのルール、のうちの少なくとも１つを含み、Ｋ１は１以上の整数である。
３）Ｌ１セットのＰＵＳＣＨ閉ループ電力制御パラメータ。ＰＵＳＣＨ閉ループ電力制御パラメータの各セットは、ＰＵＳＣＨ閉ループ電力制御ＩＤのうちの少なくとも１つを含み、Ｌ１は１以上の整数である。
【０２４２】
基地局はさらに、ＰＵＳＣＨの上記電力制御パラメータと、ビームリソースまたはビームリソースグループのうちの１つとの相関関係を構成する。たとえば、Ｊ１、Ｋ１およびＬ１における電力制御パラメータのうちの一部またはすべての各々は、ビームリソース指示情報に対応付けられている。たとえば、Ｊ１は、３に等しく、Ｊ１＿１、Ｊ１＿２およびＪ１＿３を含み、Ｊ１＿１およびＪ１＿２はそれぞれＳＲＩ１およびＳＲＩ２と相関関係を構築する。Ｋ１は、３に等しく、Ｋ１＿１、Ｋ１＿２およびＫ１＿３を含み、Ｋ１＿１およびＫ１＿２はそれぞれＳＲＩ１およびＳＲＩ２と相関関係を構築する。Ｌ１は、２に等しく、Ｌ１＿１およびＬ１＿２を含み、Ｌ１＿１およびＬ１＿２はそれぞれＳＲＩ１およびＳＲＩ２と相関関係を構築する。
【０２４３】
基地局は、物理層情報におけるビームリソース情報を用いることにより、ＰＵＳＣＨ開ループ電力制御パラメータ、ＰＵＳＣＨ経路損失測定パラメータおよびＰＵＳＣＨ閉ループ電力制御パラメータを取得するようＵＥに指示する。
【０２４４】
基地局はさらに、ＰＵＳＣＨ開ループ電力制御パラメータ、ＰＵＳＣＨ経路損失測定パラメータおよびＰＵＳＣＨ閉ループ電力制御パラメータのうちのいずれかのインデックス値、またはインデックス値に対応するビームリソースグループのローカルビームリソース番号を用いることにより、物理層情報におけるＰＵＳＣＨ開ループ電力パラメータ、ＰＵＳＣＨ経路損失測定パラメータおよびＰＵＳＣＨ閉ループ電力制御パラメータを取得するようＵＥに指示する。このようにすることの利点は、物理層ビームリソース指示のオーバヘッドを省くことができることである。
【０２４５】
基地局はさらに、ＰＵＳＣＨの上記電力制御パラメータとグラントタイプとの相関関係を構成する。たとえば、Ｊ１、Ｋ１およびＬ１はそれぞれグラントタイプに対応付けられる。たとえば、Ｊ１は、３に等しく、Ｊ１＿１、Ｊ１＿２およびＪ１＿３を含み、Ｊ１＿１およびＪ１＿２はそれぞれグラントベースタイプに対応付けられ、Ｊ１＿３はグラントフリータイプに対応付けられる。Ｋ１は、３に等しく、Ｋ１＿１、Ｋ１＿２およびＫ１＿３を含み、Ｋ１＿１およびＫ１＿２はそれぞれグラントベースタイプに対応付けられ、Ｋ１＿３はグラントフリータイプに対応付けられる。Ｌ１は、２に等しく、Ｌ１＿１およびＬ１＿２を含み、Ｌ１＿１はグラントベースタイプに対応付けられ、Ｌ１＿２はグラントフリータイプに対応付けられる。
【０２４６】
基地局は、以下の方式のうちの１つでＳＲＳのビームリソース情報をＵＥに指示する。
１）基地局は、ＳＲＳリソースセットまたはＳＲＳリソースとビームリソース指示情報との相関関係を無線リソース制御（ＲＲＣシグナリング）で構成する。この相関関係は、ＳＲＳリソースセットまたはＳＲＳリソースにおけるビームリソース指示情報、たとえばＳＲＳリソース指示（ＳＲＩ）、トラッキング参照信号リソース指示（ＴＲＩ）、同期信号ブロック（ＳＳブロック）指示、ＣＳＩ−ＲＳ指示（ＣＲＩ）、または、上記ビームリソース情報のＱＣＬ関係によって指示されるビームリソース情報、または送信プリコーディング行列インジケータ（ＴＰＭＩ）を、構成することであってもよい。
２）基地局は、ＭＡＣ  ＣＥにおいて、ＳＲＳリソースセットまたはＳＲＳリソースの一方とビームリソース指示情報との相関関係を指示する。この相関関係は、起動された各ＳＲＳリソースセットに対しビームリソース指示情報を構成してもよい。
３）基地局は、ＳＲＳリソースセットまたはＳＲＳリソースのうちの一方と物理層情報、たとえばダウンリンク制御情報（ＤＣＩ）におけるビームリソース指示情報との相関関係を指示する。相関関係は、トリガされたＳＲＳリソースのためにビームリソース指示情報を構成するように構成されていてもよい。
【０２４７】
ＵＥは、ＳＲＳリソースセットの構成情報およびＰＵＳＣＨの電力制御パラメータ構成情報を受信し、関連するＭＡＣ  ＣＥ情報および物理層情報を受信し、ＳＲＳリソースセットまたはＳＲＳリソースとビームリソース指示情報との相関関係を取得する。
【０２４８】
以下の条件のうちの１つまたは複数の条件の組み合わせが満たされると、ＳＲＳリソースセットにおける電力制御パラメータのうちの一部またはすべてがＰＵＳＣＨの電力制御パラメータに置き換えられる。
１）アプリケーションシナリオが非ゼロシナリオである。
２）ＳＲＳリソースセットは非周期的なものとして構成される。
３）ＳＲＳリソースセットはセミスタティックなものとして構成される。
４）ＳＲＳリソースセットにおけるＳＲＳリソースの数は１に等しい。
５）ＳＲＳリソースセットにおけるＳＲＳリソースの繰り返しの数は１に等しい。
６）ＳＲＳリソースセットまたはＳＲＳリソースに対応付けられたアンテナリソースが、ＰＵＳＣＨに対応付けられたアンテナリソースに一致する。アンテナリソースは、アンテナポート、アンテナパネル、アンテナポートグループ等の、物理または仮想アンテナのリソースを意味する。
７）ＳＲＳリソースセットまたはＳＲＳリソースに対応付けられたビームリソース指示情報は、ＰＵＳＣＨの電力制御パラメータに対応付けられたビームリソース指示情報のうちの一部またはすべてと同一または一致し、
一致とは、ビームリソースが同一のリソース番号で示されていること、またはビームリソースが特定のＱＣＬ関係を満たすこと、であり、
ＳＲＳリソースセットまたはＳＲＳリソースに対応付けられたビームリソースの数が１よりも大きい場合、一致は、ＳＲＳリソースセットまたはＳＲＳに対応付けられたビームリソース、および、ＰＵＳＣＨの電力制御パラメータに対応付けられたビームリソースのうちのすべてが、特定のＱＣＬ関係を満たすことを意味し、
ＰＵＳＣＨの電力制御パラメータに対応付けられたビームリソース指示情報は、アンテナポート、送信ビーム、ＳＲＩなどのような、ＰＵＳＣＨの復調参照信号（ＤＭＲＳ）の送信リソースであってもよい。
８）ＳＲＳリソースセットまたはＳＲＳリソースのグラントタイプがＰＵＳＣＨの電力制御パラメータのグラントタイプと同一であり、
グラントタイプはグラントベースタイプまたはグラントフリータイプを意味する。
９）ＳＲＳリソースセットにおけるＳＲＳリソースが送信するビームリソース情報は、基地局によって示される、または、ＳＲＳリソースセットにおけるＳＲＳリソースが送信するビームリソース指示情報は基地局にとってトランスペアレントである。
【０２４９】
ここで、ＳＲＳリソースセットにおけるＳＲＳリソースが送信するビームリソース情報を基地局が指示することは、基地局が、ＲＲＣシグナリングによってＳＲＳリソースの送信ビームリソースを構成すること、または、ＭＡＣ  ＣＥもしくは物理層シグナリング、たとえばＤＣＩによってＳＲＳリソースの送信ビームリソースを構成もしくは指示することを、意味する。
【０２５０】
送信ビームリソースは、ＳＳブロックリソース指示、ＳＲＳ指示（ＳＲＩ）、ＴＲＩリソース指示（ＴＲＩ）、またはＣＳＩ−ＲＳリソース指示（ＣＲＩ）のうちの１つであってもよい。
【０２５１】
送信ビームリソースは、１つ以上の送信を、基地局がこれをＳＲＳリソースに対して指示する前に、参照する。たとえば、送信ビームリソースは、ＳＳブロックの送信を参照し、そのプロセスは以下の通りである。
【０２５２】
基地局は、Ｍ個のＳＳブロックを周期的に送信し、これらは順にｍ＝０〜Ｍ−１という番号が付される。ＵＥはＮ個のビームをトレーニングする必要があると仮定すると、ＵＥは先ず同一の受信ビームを用いて１周期内のＭ個のＳＳブロックを測定することにより、Ｍ個のＳＳブロック各々のＲＳＲＰを取得し、次のＳＳブロック周期では異なる受信ビームを用いて他の基地局からＵＥへの異なるビームペアのＲＳＲＰを測定して取得し、これらのビームペアのＰＬを計算する。比較後に、ＵＥは、ＰＬが小さいビームペアを基地局にフィードバックし、基地局は、これらの情報に従い、ビームリソースに対して次のスケジューリングを指示することができる。
【０２５３】
ＵＥが少なくともＮ回ｍ＝１のビームのＳＳブロックを受信する前に、基地局は特定のＳＲＳに対して送信ビームの参照情報としてＳＳブロックのうちのｍ＝１のＳＳブロックを指示すると仮定する。ＵＥは受信性能が最も良い（たとえばＲＳＲＰが最大またはＰＬが最小）ＳＳブロック送信に対応する受信ビームをＳＲＳ送信ビームとして使用する。
【０２５４】
加えて、送信ビームリソースはＳＲＳのリソース指示の送信を参照し、そのプロセスは次の通りである。
【０２５５】
基地局は、ＵＥのＳＲＳリソースセットを構成する。このＳＲＳリソースセットは、ＳＲＳリソースセットＩＤ＝１で識別されると仮定し、ＳＲＳリソースセットＩＤ＝１〜ｘでそれぞれ識別されると仮定する複数のＳＲＳリソースで構成される。基地局はＵＥの送信ビームリソースを指定しない。すなわち、ＳＲＳの送信ビームは基地局にトランスペアレントである。この場合、ＵＥは、自身が送信するビームリソースを決定する必要がある。一般的に、広範囲のビームスキャンがＵＥに必要なので、ＰＵＳＣＨの電力制御パラメータの共有の必要性は大きくはない。このプロセスは、アップリンクビーム管理またはアップリンクビームスキャンに使用することができる。ＵＥがＳＲＳを送信した後に、基地局は測定を実行しこれらの測定結果に基づいて後続の送信のビームリソースを指示する。
【０２５６】
上記ＳＲＳリソースセットの後に、基地局は、送信ビームが基地局にとってトランスペアレントでないやり方で、特定のＳＲＳの送信ビームがＳＲＳリソースセットＩＤ＝１におけるＳＲＳリソースＩＤ＝１であることを指示する。
【０２５７】
ＳＲＳリソースの指示情報として、ＳＲＩは、ＳＲＳリソースセット指示情報またはＳＲＳリソースセット内のＳＲＳリソースの指示情報のうちの１つを指示してもよく、ＵＥのすべてのＳＲＳリソースセットにおけるすべてのＳＲＳリソースが等しく識別される場合、ＳＲＳリソースの識別情報のみが存在する。
【０２５８】
上記条件が有効になるか否かを基地局が設定してもよく、基地局は、各ＳＲＳリソースセットについてＰＵＳＣＨの電力制御プロセスをＳＲＳが共有することが認められるか否かを決定するパラメータを構成する。
【０２５９】
ＳＲＳがＰＵＳＣＨの電力制御プロセスを共有することを認められない場合、ＳＲＳリソースセットにおいて構成された電力制御パラメータを用いて送信電力を計算する。
【０２６０】
ＳＲＳがＰＵＳＣＨの電力制御プロセスの共有を認められる場合、ＵＥは、以下の条件のうちの１つの結果または複数の条件の組み合わせの結果に従い、ＰＵＳＣＨの電力制御プロセスを共有するか否かを決定する。
【０２６１】
上記条件が満たされると、電力制御パラメータを決定する方式は以下のうちの１つである。
１）ＳＲＳリソースセットまたはＳＲＳリソースに対応付けられたビームリソース指示情報に対応付けられたＰＵＳＣＨの電力制御パラメータすべてを用いてＳＲＳリソースセットの送信電力を計算する。
２）ＳＲＳリソースセットまたはＳＲＳリソースに対応付けられたビームリソース指示情報に対応付けられたＰＵＳＣＨの電力制御パラメータの一部を用いてＳＲＳリソースセットの送信電力を計算する。
３）ＳＲＳリソースセットまたはＳＲＳリソースに対応付けられたグラントタイプに対応付けられたＰＵＳＣＨの電力制御パラメータすべてを用いてＳＲＳリソースセットの送信電力を計算する。
４）ＳＲＳリソースセットまたはＳＲＳリソースに対応付けられたグラントタイプに対応付けられたＰＵＳＣＨの電力制御パラメータの一部を用いてＳＲＳリソースセットの送信電力を計算する。
【０２６２】
すなわち、ＰＵＳＣＨの電力制御パラメータのうちの一部またはすべてをそれぞれＰＵＳＣＨの以下の電力制御パラメータのうちの一部またはすべてを指示するために使用することにより、ＳＲＳの対応する構成パラメータを置き換える。
１）代替関係１：Ｐ０＿ＰＵＳＣＨとＰ０＿ＳＲＳ＿ＯＦＦＳＥＴとの和を用いてＰ０＿ＳＲＳを置き換える。
２）代替関係２：α＿ＰＵＳＣＨを用いてα＿ＳＲＳを置き換える。
３）代替関係３：ＰＵＳＣＨのために構成されたＰＬ推定のＲＳリソース指示を用いて、ＳＲＳのために構成されたＰＬ推定のＲＳリソース指示を置き換える。
４）代替関係４：ＳＲＳのために構成された閉ループ電力調整量を用いて、ＰＵＳＣＨのために構成された閉ループ電力調整量を置き換える。
【０２６３】
いくつかの実施形態において、ＰＵＳＣＨの電力制御パラメータのうちの一部またはすべては、基地局によって構成されるかまたは予め定められる。
【０２６４】
予め定めるということは、上記代替関係のうちの１つ以上をサポートすることを意味する。
【０２６５】
基地局が構成するということは、基地局がＵＥのための上記代替関係のうちの１つ以上を構成することを意味する。たとえば、ビットマップ方式がサポートされ、４ビット情報がそれぞれ代替関係１〜４が有効か否かを指示するために使用される。これに代えて、いくつかの代替サブセット、たとえば４つのサブセットが予め定められてもよく、この場合、サブセット１は、代替関係１〜４が有効に構成されることであり、サブセット２は、上記代替関係のうちの代替関係３および４のみが有効であることであり、サブセット３は、上記代替関係のうちの代替関係４のみが有効であることであり、サブセット４は、上記代替関係のうちのいずれも有効でないこと、すなわちＰＵＳＣＨのパラメータでＳＲＳのパラメータを置き換えることがサポートされていないことである。
【０２６６】
以下は、異なるＳＲＳタイプをサポートする上記プロセスの一例である。
基地局は、ＤＬ  ＣＳＩ取得のためのＳＲＳおよびＳＲＳリソースセットのアンテナスイッチングのためのＳＲＳについて、ＳＲＳがＰＵＳＣＨの電力制御プロセスを共有することを認めないパラメータを構成し、ＵＬ  ＣＳＩ取得のためのＳＲＳおよびＳＲＳリソースセットのビーム管理のためのＳＲＳについて、ＳＲＳがＰＵＳＣＨの電力制御プロセスを共有することを認めるパラメータを構成する。ビームを使用するシナリオにおいて、ＵＥは、ＵＬ  ＣＳＩ取得のためのＳＲＳおよびビーム管理のためのＳＲＳがビームの関係を通じてＰＵＳＣＨの電力制御プロセスを共有するか否かを判断してもよい。ビームがないシナリオにおいて、ビーム管理のためのＳＲＳおよびＵＬ  ＣＳＩ取得のためのＳＲＳが共有するＰＵＳＣＨの電力制御パラメータは存在しない。
【０２６７】
この実施形態は、経路損失（ＰＬ）測定のための複数のダウンリンク（ＤＬ）参照信号（ＲＳ）について改善された解決策を提供する。
【０２６８】
基地局はＵＥのためのＫ個の経路損失測定パラメータを構成し、各経路損失測定パラメータは、ダウンリンク参照信号（ＤＬ  ＲＳ）リソースの指示情報、または複数のＰＬ値を処理するためのルールのうちの少なくとも１つを含む。
【０２６９】
ＤＬ  ＲＬリソースの指示情報は、ＤＬ  ＲＳのタイプ、またはＤＬ  ＲＳのリソース指示のうちの１つを含む。
【０２７０】
基地局は、ＤＬ  ＲＳリソースにビームリソースの指示を構成し、ＵＥは、ビームリソースのＤＬ  ＲＳのみを用いてＰＬを測定する。
【０２７１】
基地局は、ＤＬ  ＲＳリソースにビームリソースの指示を構成し、ＵＥは、基地局が構成した、ビームリソースとＱＣＬ関係を有するＤＬ  ＲＳのセットを取得してＰＬを測定する。
【０２７２】
基地局は、ＤＬ  ＲＳリソースにビームリソースの指示を構成し、ＵＥに対し、基地局が構成した、ビームリソースとＱＣＬ関係を有するＤＬ  ＲＳのセットを取得してＰＬを測定するよう指示する。
【０２７３】
基地局は、ＰＬ計算のためのＤＬ  ＲＳリソースを構成しない、または、ＤＬ  ＲＳリソースに予約値を構成する。この場合、ＵＥはＰＬを測定し計算するために使用するＤＬ  ＲＳを自身で決定する、またはアップリンクとダウンリンクとの間には相反性があると仮定してダウンリンクチャネルに対応付けられたＤＬ  ＲＳを使用してＰＬを計算する。
【０２７４】
基地局は、ＤＬ  ＲＳリソースに２つ以上のビームリソース指示を構成する。これらのビームリソース指示は同一タイプのビームリソース指示である。具体的なシナリオにおいて、これらの同一タイプのビームリソース指示は、特定のＱＣＬ関係を満たす。
【０２７５】
基地局は、ＤＬ  ＲＳリソースに２つ以上のビームリソース指示を構成する。これらのビームリソース指示は異なるタイプのビームリソース指示を含む。特定のシナリオにおいて、これらの異なるタイプのビームリソース指示は、特定のＱＣＬ関係を満たす。
【０２７６】
ビームリソース指示は、基地局のダウンリンク送信ビームを指示するために使用される複数の情報、すなわちＣＲＩ、ＳＳブロックリソース指示、およびＴＲＳリソース指示、のうちの少なくとも１つを意味する。ＣＲＩはＣＲＩ−ＲＳリソース指示を意味し、この情報は、ＵＥに対し、指定されたＣＳＩ−ＲＳを用いてＰＬ測定を実行するよう指示するために使用される。ＳＳブロックリソース指示は、ＮＲ同期信号（ＳＳ）のセカンダリ同期信号（ＳＳＳ）またはプライマリブロードキャストチャネル（ＰＢＣＨ）の復調参照信号（ＤＭＲＳ）のリソース指示を意味し、この情報は、ＵＥに対し、指定されたＳＳブロックを用いてＰＬ測定を実行するよう指示する。ＴＲＳはトラッキング参照信号であり、ＴＲＳリソース指示は、ＵＥに対し、指定されたＴＲＳを用いてＰＬ測定を実行するよう指示する。
【０２７７】
特定のシナリオは、ダウンリンクまたはアップリンクＣＳＩを取得するために、ビームシナリオにおいてＰＵＳＣＨの電力制御パラメータを構成する場合、ビームシナリオにおいてＰＵＣＣＨの電力制御パラメータを構成する場合、またはビームシナリオにおいてＳＲＳの電力制御パラメータを構成する場合、を含む。
【０２７８】
複数のＰＬ値を処理するためのルールは、構成された複数のＤＬ  ＲＳリソースによって送信されたＤＬ  ＲＳによって測定された複数のＰＬを処理することによりＰＬ値を取得するためのルールである。このルールは以下を含む。
【０２７９】
予め定められた条件を満たす複数のＰＬを分類し、予め定められた重みに従って加重平均を実行する。予め定められた条件は、ＰＬが構成されたしきい値未満であることを含む。基地局は予め定められた重みを構成する。
【０２８０】
この実施形態は、ＳＲＳリソースセットの一定の電力および複数周期における一定の電力を維持する解決策を提供する。
【０２８１】
ＳＲＳリソースセットは少なくとも１つのＳＲＳリソースを含み、同一のＳＲＳリソースセットの複数のＳＲＳリソースの送信電力は一定である。
【０２８２】
周期的なＳＲＳリソースセットの場合、基地局は周期を構成し、ＵＥはＳＲＳリソースセットのＳＲＳリソースを周期的に用いてＳＲＳを送信する。
【０２８３】
１周期において同一のＳＲＳリソースセットのＳＲＳリソースを占有することによって送信されるＳＲＳ各々の送信電力は一定に維持される。
【０２８４】
周期的なＳＲＳリソースセットの場合、基地局は、同一の送信電力を維持する周期の数を構成し、この数の周期においてＳＲＳリソースセットのＳＲＳリソースを占有することによって送信されるＳＲＳ各々の送信電力は一定に維持される。
【０２８５】
非周期的なＳＲＳリソースセットの場合、物理層シグナリングによってＳＲＳトリガが実行され、同一のトリガにおいてＳＲＳリソースセットにおいて指示された複数のＳＲＳリソースを占有するＳＲＳ各々の送信電力は一定に維持される。
【０２８６】
ＳＲＳトリガは、ＳＲＳリソースセットにおけるＳＲＳリソースを一回指示する、または、ＳＲＳリソースセットにおけるＳＲＳリソースを複数回繰り返し指示する。同一のトリガにおいてＳＲＳリソースセットにおいて指示された複数のＳＲＳリソースを占有するＳＲＳ各々の送信電力は一定に維持される。
【０２８７】
セミスタティックなＳＲＳリソースセットの場合、起動された状態では周期的なＳＲＳリソースセットと同様であり、基地局は周期を構成し、ＵＥはＳＲＳリソースセットのＳＲＳリソースを周期的に用いることによりＳＲＳを送信する。
【０２８８】
１周期において同一のＳＲＳリソースセットのＳＲＳリソースを占有することによって送信されるＳＲＳ各々の送信電力は一定に維持される。
【０２８９】
セミスタティックなＳＲＳリソースセットの場合、基地局は、同一の送信電力を維持する周期の数を構成し、この数の周期においてＳＲＳリソースセットのＳＲＳリソースを占有することによって送信されるＳＲＳ各々の送信電力は一定に維持される。
【０２９０】
この実施形態は、ＳＲＳ送信の繰り返しの数がＳＲＳの送信電力に与える影響を提供する。
【０２９１】
時間ドメインにおいて、ＳＲＳの送信を繰り返すことは受信品質の向上およびカバレッジの改善をもたらし得る。
【０２９２】
周波数ドメインにおいて、ＳＲＳの送信を繰り返すことは送信電力の低減という別の目的を達成することにより他の通信ノードに対する干渉を低減し得る。
【０２９３】
基地局は、以下の方式のうちの少なくとも１つにより、ＳＲＳの送信電力に対するＳＲＳ送信の繰り返しの数の影響を反映させる。
【０２９４】
１）送信電力パラメータを、ＳＲＳ時間ドメイン反復係数を用いることによって調整する。
【０２９５】
たとえば、ＳＲＳ送信の総繰り返し回数を電力計算の係数として使用する。以下の式は実装方式である。この式において、ＲＳＲＳ，Ｃ（ｉ）は、ＳＲＳ送信の総繰り返し回数であり、たとえば、送信が１回実行され、次に再送信が１回実行され、すなわち２回実行されると、この値は２である。その他のパラメータについては実施形態２の説明を参照されたい。
【０２９６】
【数４】
2021503788.tif 000006
【０２９７】
２）基地局が、送信電力に対するＳＲＳ時間ドメイン反復係数の影響係数を構成する。
たとえば、基地局は、予め構成された影響係数テーブルから１つをＵＥのために選択する。影響係数テーブルが０、１および０〜１の範囲に含まれる値を含むと仮定する。たとえばＲＳＲＳ，ｃ∈｛０，０．５，１｝である。ここで、０は、この関数が有効ではないことに等しく、１は、この関数が完全に有効であることに等しく、たとえば送信が２回繰り返されると、ＳＲＳの送信電力は、関数が有効でないときの送信電力と比較して３ｄＢ低減される。０〜１の範囲に含まれる値は、影響係数が部分的に有効にされた状態であることを表す。
【０２９８】
以下の式は実装方式であり、βＳＲＳ，ｃは影響係数である。その他のパラメータについては上記説明を参照されたい。
【０２９９】
【数５】
2021503788.tif 000007
【０３００】
３）ＳＲＳ時間ドメイン反復係数によって送信電力に対する影響の関数を有効にするか否かは、スイッチを用いることで制御される。
【０３０１】
この関数が有効にされた場合、ＳＲＳについて計算された送信電力を、ＳＲＳ時間ドメイン反復係数の比率に従って調整する。たとえば、時間ドメインにおいて送信が２回繰り返された場合、ＳＲＳの送信電力は、この関数が有効にされない場合の送信電力と比較して３ｄＢ低減される。
【０３０２】
たとえば、上記式のβＳＲＳ，ｃの値はスイッチによって０または１に設定される。
以下は、ＰＵＣＣＨおよびＰＵＳＣＨ／物理ダウンリンク共有チャネル（physical downlink shared channel）（ＰＤＳＣＨ）の電力制御パラメータの関係についての実施形態を提供する。
【０３０３】
ＰＵＣＣＨのビームリソースはＰＵＳＣＨのビームリソースと異なっていてもよい。ＰＵＣＣＨのスケジューリング期間は一般的により長く、送信ビームリソース情報等のリソース構成情報はＲＲＣシグナリングを通じて更新されてもよい。ＰＵＳＣＨはより柔軟なスケジューリング機構を有していてもよく、送信ビームリソース情報等のリソース構成情報は、ＲＲＣシグナリング、ＭＡＣ  ＣＥまたは物理層シグナリングを通じて指示されてもよい。いくつかのシナリオにおいて、ＰＵＣＣＨは、一時的に、ＰＵＳＣＨの送信ビームリソース情報および／または電力制御機構を使用し、これは利点をもたらすであろう。
【０３０４】
基地局は、ＵＥのためにＰＵＣＣＨの電力制御パラメータを構成し、ＰＵＣＣＨのリソースを構成および／またはスケジューリングする。ＵＥは、開ループ電力制御パラメータ、経路損失計算パラメータおよび閉ループ電力制御パラメータを含む、送信されたＰＵＣＣＨリソースに従い、電力制御パラメータを決定することができ、ＰＵＣＣＨの送信電力を計算する。
【０３０５】
基地局は、ＵＥのためにＰＵＳＣＨの電力制御パラメータを構成し、ＰＵＳＣＨのリソースを構成および／またはスケジューリングする。ＵＥは、開ループ電力制御パラメータ、経路損失計算パラメータおよび閉ループ電力制御パラメータを含む、送信されたＰＵＳＣＨリソースに従い、電力制御パラメータを決定することができ、ＰＵＳＣＨの送信電力を計算する。
【０３０６】
ＰＵＣＣＨは、以下の条件
１）ＰＵＳＣＨおよびＰＵＣＣＨが同一スロットにある
２）ＰＵＳＣＨおよびＰＵＣＣＨが周波数分割される
３）ＰＵＣＣＨの送信ビームがＰＵＳＣＨの送信ビームと同一である
４）ＰＵＣＣＨの送信ビームおよびＰＵＳＣＨの送信ビームが特定のＱＣＬ関係を満たす
のうちの少なくとも１つが満たされる場合は、ＰＵＳＣＨの電力制御パラメータまたはＰＵＳＣＨの送信ビームリソースのうちの少なくとも１つを一時的に使用することができる。
【０３０７】
ＰＵＣＣＨがＰＵＳＣＨの電力制御調整パラメータおよび送信ビームリソースを一時的に使用することは、現在のＰＵＣＣＨ送信に限って有効である。このＰＵＣＣＨ送信はその他のＰＵＣＣＨの送信ビームリソースおよび電力制御パラメータに影響しない。
【０３０８】
ＰＵＣＣＨがＰＵＳＣＨの電力制御パラメータを一時的に使用する場合、その閉ループ電力制御パラメータは、ＰＵＳＣＨの閉ループ電力プロセスによって更新される、ＰＵＳＣＨの閉ループ電力制御パラメータすなわちＰＵＳＣＨの閉ループ電力調整量を使用する。ＰＵＣＣＨはこの量を一時的に使用するがこの量を更新しない。
【０３０９】
ＰＵＣＣＨがＰＵＳＣＨの電力制御パラメータを一時的に使用する場合、その開ループ電力制御パラメータの目標受信電力Ｐ０は、ＰＵＳＣＨの目標受信電力Ｐ０とＰＵＣＣＨの目標受信電力オフセット値との和によって決まる。ＰＵＣＣＨの目標受信電力オフセットは、ＰＵＳＣＨの目標受信電力を基準として基地局が構成したＰＵＣＣＨのオフセットである。
【０３１０】
たとえば、以下の式は実装方式である。
【０３１１】
【数６】
2021503788.tif 000008
【０３１２】
上記式において、ｉは、サブフレーム番号、スロット番号、およびＯＦＤＭシンボルの番号等の、時間単位番号であり、ｊは、ＰＵＳＣＨ開ループ電力制御パラメータセットの番号であり、ＦはＰＵＣＣＨのフォーマット番号であり、ｌは、ＰＵＳＣＨの閉ループ電力制御プロセスＩＤまたは閉ループ電力制御ループＩＤでもあるＰＵＳＣＨ閉ループ電力制御パラメータセットの番号であり、ＰＯ＿ＰＵＳＣＨ，ｃ（ｊ）、αｃ（ｊ）、ＰＬｃ、ｆｃ（ｉ，ｌ）はそれぞれ、目標受信電力、経路損失補償係数、経路損失計算パラメータ、ＰＵＳＣＨの閉ループ電力制御調整量である。
【０３１３】
基地局は、ＵＥのためにＰＵＳＣＨの電力制御パラメータを構成する。これは、少なくとも１セットの開ループ電力制御パラメータ（少なくとも目標受信電力Ｐ０および経路損失係数αを含む）、少なくとも１セットの経路損失測定パラメータ（ＰＬ計算のためのＲＳリソース構成）、および少なくとも１セットの閉ループ電力制御プロセスを含み、これらはそれぞれ、開ループ電力制御パラメータＩＤ、経路損失測定パラメータＩＤ、および閉ループ電力制御プロセスＩＤによって示される。
【０３１４】
基地局はさらに、ＵＥのために以下の相関
１）開ループ電力制御パラメータと参照信号インデックスとの相関、
２）経路損失測定パラメータと参照信号インデックスとの相関、
３）閉ループ電力制御パラメータと参照信号インデックスとの相関、
４）開ループ電力制御パラメータとＰＬ測定パラメータとの相関、
５）開ループ電力制御パラメータと閉ループ電力制御プロセスとの相関、
６）経路損失測定パラメータと閉ループ電力制御プロセスとの相関、および
７）開ループ電力制御パラメータ／経路損失測定パラメータと閉ループ電力制御プロセスとの相関、
のうちの少なくとも１つを構成する。
【０３１５】
基地局は、ＵＥに対し、参照信号インデックス、開ループ電力制御パラメータＩＤ、経路損失測定パラメータＩＤ、および閉ループ電力制御プロセスＩＤのうちの少なくとも１つを構成することによってＰＵＳＣＨの電力制御パラメータを取得するよう指示してもよい。
【０３１６】
閉ループ電力制御プロセスＩＤは、閉ループ電力制御ループとも呼ばれる閉ループ電力制御プロセスを決定する。ＵＥは、各閉ループ電力制御プロセスについてローカル電力調整ｆ（ｉ，ｌ）を維持する（閉ループ電力制御プロセスＩＤがｌであると仮定）。
【０３１７】
閉ループ電力調整パラメータｆ（ｉ，ｌ）は、目標受信電力Ｐ０および／または開ループ電力制御パラメータにおける経路損失係数αが構成または再構成されるときにリセットされる。以下のケースのうちの１つが含まれる。
１）ＰＵＳＣＨの開ループ電力制御パラメータセットが構成または再構成される場合、すべての閉ループ電力制御プロセスＩＤに対応するｆ（ｉ，ｌ）がリセットされる。
２）ＰＵＳＣＨの開ループ電力制御パラメータセットの一部が構成または再構成される場合、ＰＵＳＣＨの構成または再構成される開ループ電力制御パラメータセットのインデックスに対応付けられた閉ループ電力制御プロセスＩＤに対応するｆ（ｉ，ｌ）のみがリセットされる。
３）ＰＵＳＣＨの開ループ電力制御パラメータセットのいくつかのパラメータ、たとえばＰ０および／またはαが、構成または再構成される場合、構成または再構成される開ループ電力制御パラメータセットのインデックスに対応付けられた閉ループ電力制御プロセスＩＤに対応するｆ（ｉ，ｌ）のみがリセットされる。
【０３１８】
上記内容は、ＰＵＣＣＨの電力制御パラメータおよびＳＲＳの電力制御パラメータにも適用可能である。
【０３１９】
基地局は、閉ループ電力制御プロセスをリセットするまたは受け継ぐように構成されてもよい。構成シグナリングはＲＲＣシグナリング、ＭＡＣ  ＣＥ、または物理層（ＰＨＹ）シグナリングであってもよい。
【０３２０】
基地局は、異なるチャネルおよび信号間の閉ループ電力制御プロセスを受け継ぐように構成されてもよい。構成シグナリングは、ＲＲＣシグナリング、ＭＡＣ  ＣＥ、またはＰＨＹシグナリングであってもよい。
【０３２１】
本願は、ＰＵＳＣＨのＳＲＳ−ＣＳＩ、ＰＤＳＣＨのＳＲＳ−ＣＳＩおよびＳＲＳ−ＢＭ  Ｕ１／Ｕ２／Ｕ３のさまざまな要件に対し、統一された電力制御式および構成アーキテクチャを決定することができる。
１）ＳＲＳおよびＰＵＳＣＨが電力制御パラメータＰ０／α／ＰＬを共有するか否か、ならびに、ＳＲＳおよびＰＵＳＣＨがｆ（ｉ）を共有するか否かを、明示的にまたは暗黙的に（たとえばＳＲＳリソースの特徴、特にビームとの結合関係を通じて）指示する。ｆ（ｉ）はサブフレームｉの電力制御補正関数。
２）ＳＲＳの電力制御パラメータの独立した構成は、ＳＲＳの複数のＪ、ＫおよびＬの相関の構築を必要とし、これはＳＲＳの動的指示に好都合であり、これはビーム（グループ）とｊ、ｋ、ｌとの相関を構成すること、またはｊ、ｋおよびｌ間の相関を構成することで実現される。
３）ＰＵＳＣＨの電力制御パラメータを共有する場合、ＰＵＳＣＨの電力制御パラメータをＳＲＳが使用する方式を明示的または暗黙的に決定する。
【０３２２】
代替実施形態ｙ：（アンテナスイッチング制御および／またはビーム管理制御のための構成パラメータ）
この実施形態では、１つのＳＲＳリソースセットの構成に構成パラメータが存在し、この構成パラメータは、アンテナスイッチング状態およびビームスイッチング状態という少なくとも２つの状態を有する。代替的に、この構成パラメータは、アンテナスイッチングの情報とビーム管理の情報とによって共同で符号化された構成パラメータである。代替的に、この構成パラメータは、アンテナスイッチングの情報とビーム管理の情報とによって共有される構成パラメータである、すなわち、この構成パラメータはアンテナスイッチング制御またはビーム管理制御に使用される。
【０３２３】
たとえば、この構成パラメータはＸである。Ｘが０のとき、これは、このＳＲＳリソースセットの異なるＳＲＳリソースがアンテナスイッチングのために使用されることを示し、このセットの異なるＳＲＳリソースは異なるアンテナに対応する、または、このセットの異なるＳＲＳリソースは異なるアンテナグループに対応する。Ｘが１のとき、これは、このＳＲＳリソースセットの異なるＳＲＳリソースはビームスイッチング用であり、異なるＳＲＳリソースは異なるビームを表す。
【０３２４】
いくつかの実施形態において、この構成パラメータは、以下の状態ビット、すなわち、アンテナスイッチング、同一アンテナでビームスイッチング、異なるアンテナでビームスイッチング、および同一アンテナでビーム不変、のうちの少なくとも２つを有し得る。
【０３２５】
いくつかの実施形態において、構成パラメータは、以下の状態ビット、すなわち、同一ビームでアンテナスイッチング、異なるビームでアンテナスイッチング、同一アンテナでビームスイッチング、異なるアンテナでビームスイッチング、および同一アンテナでビーム不変、のうちの少なくとも２つを有し得る。
【０３２６】
いくつかの実施形態において、この構成パラメータはまた、以下の状態、すなわち、１Ｔ２Ｒ、２Ｔ４Ｒ、ビームスイッチングで１ポート送信、ビーム不変で１ポート送信、ビームスイッチングで２ポート送信、ビーム不変で２ポート送信、および４ポート、のうちの少なくとも２つを含み得る。ここで、「１Ｔ２Ｒ」は、現在の２つのＳＲＳリソースが異なる送信アンテナに対応し各ＳＲＳリソースが１つのＳＲＳポートを含むことを表し、「２Ｔ４Ｒ」は、現在の２つのＳＲＳリソースが異なる送信アンテナに対応し各ＳＲＳリソースが２つのＳＲＳポートを含むことを表す。「ビームスイッチングで１ポート送信」は、送信ビームのスキャンのために異なるＳＲＳリソースが使用され各ＳＲＳリソースが１ポートを含むことを表す。「ビームスイッチングで１ポート送信」は、送信ビームのスキャンのための異なるＳＲＳリソースを表し各ＳＲＳリソースが１ポートを含むことを表す。「ビームスイッチングで２ポート送信」は、送信ビームのスキャンのために異なるＳＲＳリソースが使用され各ＳＲＳリソースが２ポートを含むことを表す。「ビームスイッチングで２ポート送信」は、送信ビームのスキャンのために異なるＳＲＳリソースを表し各ＳＲＳリソースが２ポートを含むことを表す。「４ポート」はこのＳＲＳが４ポートを含むことを表す。
【０３２７】
「アンテナスイッチング」はこのＳＲＳリソースセットの異なるＳＲＳリソースが異なるアンテナを表すことであり、「同一アンテナでビームスイッチング」はこのＳＲＳリソースセットの異なるＳＲＳリソースが、同一アンテナが送信する異なるビームを表すことであり、「異なるアンテナでビームスイッチング」はこのＳＲＳリソースセットの異なるＳＲＳリソースが、異なるアンテナが送信する異なるビームを表すことである（異なるビームは同一の無線周波数（ＲＦ）重み係数を有していてもよく、これらは異なるアンテナが送信するビームである、または、異なるビームは異なるＲＦ重み係数を有していてもよく、異なるアンテナが送信する異なるビームを異なるビームと呼ぶ。ＲＦ重み係数は空間フィルタまたは空間フィルタ係数と呼ぶこともできる。）。
【０３２８】
さらに詳述の必要がある事項がある。図６に示されるように、アンテナ１はｎ個の要素に対応し（すなわち、アンテナ１が送信する信号は、無線を形成するために、［ｗ１１，ｗ２１，…，ｗｎ１］による重み付けの後、アンテナ１に対応付けられたｎ個の要素から送信される必要がある）、アンテナ２はｎ個の要素に対応する。アンテナ１の要素に対する重み係数は、ｗ１＝［ｗ１１，ｗ２１，…ｗｎ１］およびｗ２＝［ｗ１２，ｗ２２，…，ｗｎ２］である。ｗ１がｗ２に等しいとき、ＳＲＳリソース１はアンテナ１によって送信され、ＳＲＳリソース２はアンテナ２によって送信され、これは、この実施形態の実装方式において、ＳＲＳリソース１およびＳＲＳリソース２は同一の空間フィルタパラメータを有する、または、ＳＲＳリソース１およびＳＲＳリソース２はアンテナが異なる同一の送信ビームに対応する、と言うことができる。または、この実施形態の別の実装方式において、これは、ＳＲＳリソース１およびＳＲＳリソース２は異なる空間フィルタパラメータを有する、または、ＳＲＳリソース１およびＳＲＳリソース２は送信アンテナが異なる送信ビームに対応する、と言うことができる。
【０３２９】
「同一アンテナでビーム不変」は、このＳＲＳリソースセットの異なるＳＲＳリソースが同一ビームおよび同一アンテナによって繰り返し送信されることを表す。
【０３３０】
「同一ビームでアンテナスイッチング」は、異なるＳＲＳリソースは異なるアンテナまたはアンテナグループに対応しさらに同一の無線周波数重み係数（または空間フィルタ係数）に対応することを表す。図６に示されるように、ＳＲＳリソース１およびＳＲＳリソース２は異なるアンテナに対応するが、無線周波数重み係数ｗ１はｗ２に等しい。「異なるビームでアンテナスイッチング」は、ＳＲＳリソース１およびＳＲＳリソース２は異なるアンテナに対応し無線周波数重み係数ｗ１およびｗ２が異なることを表す。
【０３３１】
上記説明において、構成パラメータＸはＳＲＳリソースセットにおいて構成され、この実施形態は、上記構成パラメータＸがＳＲＳリソースにおいて構成されるケースを除外しない。
【０３３２】
この実施形態において、送信ビームを空間フィルタパラメータと呼ぶこともある。
代替実施形態ｙ１
この実施形態において、パラメータＹが１つのＳＲＳリソースセットの構成に存在する。パラメータＹはアンテナスイッチング構成パラメータである、または、パラメータＹはアンテナスイッチングおよびビーム管理によって共同で符号化された構成パラメータである、または、パラメータＹはアンテナスイッチングおよびビーム管理が共有する構成パラメータである。
【０３３３】
いくつかの実施形態において、パラメータＹの構成可能範囲またはパラメータＹが存在するか否かは、以下のパラメータ、すなわち、ＳＲＳリソース間の多重化モード、このＳＲＳリソースセットに含まれるＳＲＳリソースの数、ＳＲＳリソースセットの各ＳＲＳリソースに含まれるポートの数、またはＳＲＳリソースセットの異なるＳＲＳリソース間の最小時間間隔、のうちの少なくとも１つに従って判断される。
【０３３４】
これに代えて、パラメータＹは、以下のパラメータ、すなわち、ＳＲＳリソース間の多重化モード、このＳＲＳリソースセットに含まれるＳＲＳリソースの数、ＳＲＳリソースセットの各ＳＲＳリソースに含まれるポートの数、またはＳＲＳリソースセットの異なるＳＲＳリソース間の最小時間間隔、のうちの少なくとも１つと共同で符号化される。
【０３３５】
いくつかの実施形態において、ＳＲＳリソース間の多重化モードに周波数分割多重化（ＦＤＭ）がある場合、Ｙをアンテナスイッチングモードとして構成することはできない、すなわち、ＳＲＳリソースセットの異なるＳＲＳリソースを異なるアンテナのスイッチングに使用することはできない。
【０３３６】
いくつかの実施形態において、ＳＲＳリソースセットに含まれるＳＲＳリソースの数が予め定められた集合に属する場合（たとえば、予め定められた集合は｛２，４｝または予め定められた集合は｛２｝）、Ｙの構成可能な範囲は１である。ＳＲＳリソースセットに含まれるＳＲＳリソースの数がこの予め定められた集合に属さない場合（たとえば、予め定められた集合は｛２，４｝または予め定められた集合は｛２｝）、Ｙの構成可能な範囲は２であり、任意で、範囲２は範囲１の部分集合である。たとえば、範囲１は｛０−４｝、範囲２は｛１−４｝である。構成可能な範囲は値であるが、この実施形態は、構成可能な範囲が状態ビットからなる集合である場合を除外しない。
【０３３７】
いくつかの実施形態において、ＳＲＳリソースセットの各ＳＲＳリソースに含まれるポートの数が予め定められた集合に属する場合（たとえば、予め定められた集合は｛１｝または予め定められた集合は｛１，２｝）、Ｙの構成可能な範囲は３であり、そうでなければＹの構成可能な範囲は４である。任意で、範囲４は範囲３の部分集合である。たとえば、範囲３は｛０−５｝であり、範囲４は｛２−５｝である。構成可能な範囲は値であるが、この実施形態は、構成可能な範囲が状態ビットからなる集合である場合を除外しない。
【０３３８】
いくつかの実施形態において、ＳＲＳリソースセットの異なるＳＲＳリソース間の最小時間間隔が予め定められたしきい値よりも大きい場合、Ｙの構成可能な範囲は５であり、そうでなければＹの構成可能な範囲は６である。任意で、範囲６は範囲５の部分集合である。たとえば、範囲５は｛０−５｝であり、範囲６は｛２−５｝である。構成可能な範囲は値であるが、この実施形態は、構成可能な範囲が状態ビットからなる集合である場合を除外しない。
【０３３９】
簡略化した特徴
同一キャリアにおいて、電力調整は、シンボルごとに送信されるチャネルおよび／または送信される信号について、
このキャリアの最大電力限界、および
同一スロット内の複数のシンボル間で同一タイプのチャネルまたは信号が同一の非ゼロ電力または同一の非ゼロ電力スペクトル密度を維持すること、
を満たすように、行われる。
【０３４０】
複数キャリアにおいて、電力調整は、シンボルごとに送信されるチャネルおよび／または送信される信号について、
複数キャリアの最大電力限界、および
同一キャリア内の同一スロット内の複数のシンボル間で同一タイプのチャネルおよび／または信号が同一の非ゼロ電力または同一の非ゼロ電力スペクトル密度を維持すること、
を満たすように、行われる。
【０３４１】
複数キャリアが同時にアップリンク送信を実行する場合、送信電力を求めるプロセスは以下の特徴のうちの少なくとも１つを有する。
１．各キャリアのすべての送信の電力を計算し、Ｐｃ，ｘ，ｃｈで表し、ｃはＣＣの番号、ｘはスロット内のＯＦＤＭシンボルの番号、ｃｈはチャネルまたは信号でありこれは、ＰＵＳＣＨ、ロングＰＵＣＣＨ（Ｌ−ＰＵＣＣＨ）、ショートＰＵＣＣＨ（Ｓ−ＰＵＣＣＨ）、ＳＲＳその他であってもよい。
２．各キャリアについてシンボルごとに、１キャリアにおいてこのシンボルでのすべての送信に必要な電力の合計がこのキャリアが許容する最大電力限界を超えるか否かを判断する。
３．許容される最大電力限界をシンボルが超える場合、このキャリアにおけるこのシンボルでのすべての送信の送信電力を、予め定められたルールに従いキャリア内で処理し、Ｐ’ｃ，ｘ，ｃｈで表す。
【０３４２】
この予め定められたルールは以下を含む。チャネル優先度および信号優先度に従い、優先度が高い送信に電力取得の優先権が与えられることを保証する。たとえば、ＰＵＣＣＨの優先度はＰＵＳＣＨの優先度よりも高く、ＰＵＳＣＨの優先度はＳＲＳの優先度よりも高く、アップリンク制御情報（ＵＣＩ）を含むＰＵＳＣＨの優先度はＵＣＩを含むＰＵＳＣＨの優先度よりも高く、ＰＵＳＣＨは送信のサービス優先度に従って比較される。たとえば、超高信頼低遅延（ultra-reliable and low latency communications）（ＵＲＬＬＣ）サービスを含むＰＵＳＣＨの優先度は、高速大容量モバイルブロードバンド（enhanced mobile broadband）（ｅＭＢＢ）サービスを含むＰＵＳＣＨの優先度よりも高い等である。残余の電力は優先度が低い送信に割り当てられる。優先度が等しい複数の送信がある場合、複数の送信の電力を同一の割合で低減する、または、いくつかの送信に電力を割り当てない、すなわち、対応するＰ’ｃ，ｘ，ｃｈはゼロである。
【０３４３】
このキャリアにおいて、複数シンボル間の同一タイプの送信は、１スロット内で同一電力を維持する。いくつかのシンボルの電力がゼロの場合、この電力は他のシンボルの電力と一致しない可能性がある。この方法は、同一タイプのすべてのシンボルの送信の電力Ｐ’ｃ，ｘ，ｃｈの最小値を取り、同一タイプのすべてのシンボルの送信の電力Ｐ’ｃ，ｘ，ｃｈの最小の非ゼロ値を取ることを含む。
【０３４４】
すべてのキャリアのスロットが同一の長さである場合、シンボルに対するすべてのキャリアのすべての送信の電力の合計が、ＵＥが許容する最大電力限界を超えるか否かを、すべてのキャリアについてシンボルごとに判断する。
【０３４５】
電力の合計は、Ｐ’ｃ，ｘ，ｃｈのｘの値を、現在判断しているシンボルの番号に固定し、Ｐ’ｃ，ｘ，ｃｈのｃおよびｃｈの項をトラバースし合計することによって得られる。
【０３４６】
許容される最大電力限界を超えるシンボルについて、このシンボルでのすべての送信の送信電力を予め定められたルールに従って処理し、送信電力をＰ”ｃ，ｘ，ｃｈで表す。
【０３４７】
この予め定められたルールは以下を含む。チャネル優先度および信号優先度に従い、優先度が高い送信に電力取得の優先権が与えられることを保証し、残余の電力は優先度が低い残りの送信に割り当てられる。優先度が等しい複数の送信がある場合、複数の送信の電力を同一の割合で低減する、または、いくつかの送信に電力を割り当てない、すなわち、対応するＰ”ｃ，ｘ，ｃｈはゼロである。
【０３４８】
スロット内で、複数シンボル間の同一タイプの送信は、各キャリアにおいて同一電力を維持する。いくつかのシンボルの電力がゼロの場合、他のシンボルの電力が一致しない可能性がある。この方法は、同一タイプのすべてのシンボルの送信の送信電力Ｐ”ｃ，ｘ，ｃｈの最小値を取ること、または、同一タイプのすべてのシンボルの送信の送信電力Ｐ”ｃ，ｘ，ｃｈの最小の非ゼロ値を取ること、のうちの１つを含む。
【０３４９】
複数のキャリアが異なるスロット長を有する場合、これら複数のキャリアをスロット長に従ってグループ分けし、保証される電力を各キャリアグループに設定し、上記特徴１〜７の複数キャリア送信電力処理を各キャリアグループに対して独立して実行する。キャリアグループ間で電力を共有するか否かおよび共有方法は、基地局によって構成される、または予め定められたルールに従って決定される。
【０３５０】
基地局が構成する方法または予め定められたルールは以下を含む。
構成１では、電力の割り当てを複数のキャリアグループで共有することはできない。すなわち、複数グループの保証されている電力部分を他のグループが占有することはできず、複数のグループの保証されている電力以外の残りの電力を、最初の開始送信が占有してもよい、またはその送信時間が最初に決定された送信が占有する。
【０３５１】
構成２では、いくつかのグループが現在の送信時間範囲内で送信されないと予測される場合、未送信のキャリアグループの保証電力を他のグループが共有してもよい。たとえば、ショートスロットキャリアグループの電力を計算するとき、ロングスロットキャリアが送信されなければ、ロングスロットキャリアグループの残り時間に設定された保証電力を少なくとも占有すればよい。現在の送信の時間範囲内の送信があるか否かを予測することが不可能であれば、保証電力を残しておかなければならない。
【０３５２】
二重接続された２つのＣＧ、すなわちマスタセルグループとセカンダリセルグループの場合、保証電力はＣＧごとに設定され、如何にしてＣＧ間で複数キャリアの電力を共有するかは、基地局によって設定される、または予め定められたルールに従って決定される。
【０３５３】
基地局による設定方法または予め定められたルールは以下を含む。
構成１では、電力割り当てを２つのＣＧが共有してもよく、電力割り当ての優先度は、チャネル優先度および送信優先度に従って決定される。
【０３５４】
構成１では、電力割り当てを２つのＣＧが共有することはできない。すなわち、各ＣＧの保証電力部分を他方のグループが占有することはできない。
【０３５５】
構成２では、他のＣＧが現在の送信の時間範囲内に送信されないと予測され得る場合、送信されないＣＧの保証電力を他のグループが共有してもよい。現在の送信の時間範囲の送信があるか否かを予測することが不可能である場合、保証電力は他のＣＧのために残しておかねければならない。
【０３５６】
シンボルは、ＯＦＤＭシンボルを意味する。
キャリアは、コンポーネントキャリア、またはセルのうちの１つであってもよく、セルは、サービングセル、プライマリセル、セカンダリセル、およびプライマリセカンダリセル、ＰＵＣＣＨ−ＳＣｅｌｌなどの、すべての種類のセルを含む。
【０３５７】
キャリアは、帯域幅部分（band width part）（ＢＷＰ）またはＢＷＰグループに置き換えることもできる。
【０３５８】
代替実施形態ｚ１（キャリアアグリゲーション（ＣＡ）の場合の電力制御）
ＮＲは、ロングＰＵＣＣＨ（Ｌ−ＰＵＣＣＨ）、ショートＰＵＣＣＨ（Ｓ−ＰＵＣＣＨ）、ＰＵＳＣＨおよびＳＲＳ等の、異なる種類のチャネルおよび信号間の時分割および周波数分割をサポートするので、以下の組み合わせまたはそのサブセットが存在し得る。
【０３５９】
図７に示されるように、周波数分割多重化されたＬ−ＰＵＣＣＨおよびＰＵＳＣＨと、ＳＲＳとの時分割多重化、およびＳ−ＰＵＣＣＨとの時分割多重化である。
【０３６０】
各チャネル、ならびに各チャネルの開始シンボルおよび終了シンボルの位置は異なり得るので、送信すべき情報およびシンボルで搬送される信号の種類は１スロット内で異なり得る。したがって、電力制御および電力ヘッドルームレポート（power headroom report）（ＰＨＲ）双方をシンボルごとに計算する必要がある。
【０３６１】
スロットにおいて、計算はシンボルごとに行われる。
加えて、同一種類のチャネルが搬送するコンテンツも異なる優先度を有し得る。たとえば、同一種類のＰＵＣＣＨが搬送する肯定応答（ＡＣＫ）およびＣＱＩの優先度は異なる場合がある。ＰＵＳＣＨが搬送するｅＭＢＢおよびＵＲＬＬＣの優先度は異なる。一般的に、優先度が高いチャネルおよびサービスの送信電力は保証されなければならない。
【０３６２】
したがって、numerology（数秘学）（物理フレーム構造に関連するパラメータ）が同一の同期ＮＲ  ＣＡ等のＮＲ  ＣＡの比較的単純なシナリオであっても、電力共有はＬＴＥよりも複雑である。なぜなら、上記チャネルの組み合わせおよび各ＣＣに含まれるそれぞれの開始位置と終了位置は異なり得るからである。
【０３６３】
ＮＲにおけるＣＡ電力制御は、シンボルごとに計算し比較しなければならない。また、複数のＣＣ間の電力割り当ては優先度に従って決定しなければならない。総電力が不十分な場合、優先度が高いチャネル（ＰＵＣＣＨ）およびサービス（ＵＲＬＬＣ）の送信電力を保証する必要がある。同一のＣＣにおいて、１スロット内の異なるシンボル間の同一チャネルの電力は一致していなければならない。
【０３６４】
ＮＲ  ＣＡの電力共有メカニズムを以下で説明する。
１．ＵＥの各ＣＣの各シンボルの各チャネルに必要な電力Ｐｃ，ｘ，ｃｈを計算し、各ＣＣの各シンボルがＰｃｍａｘ，ｃを超えるか否かを計算する、すなわち電力が不十分なシンボルがあるか否かを確認する。ｃはＣＣの番号、ｘはスロット内のＯＦＤＭシンボルの番号、ｃｈはチャネルまたは信号であり、たとえばＰＵＳＣＨ、Ｌ−ＰＵＣＣＨ、ＳＲＳなどであってもよい。
【０３６５】
たとえば、３つのＣＣのキャリアアグリゲーションの場合の、１スロット内のシンボルの各チャネルに割り当てられる時間−周波数リソースが、図８に示されている。
【０３６６】
表１は、３つのＣＣの１スロット内の異なるシンボルのチャネルおよび信号に必要な電力を示す。
【０３６７】
【表１】
2021503788.tif 000009
【０３６８】
２．各ＣＣについて、電力が不十分なシンボルがある場合、対応するＣＣの各チャネルに必要な電力Ｐ’ｃ，ｘ，ｃｈを、優先度に従い、各ＣＣの各シンボルがそれぞれのＰｃｍａｘ，ｃを超えないように調整する。
【０３６９】
ＣＣ０のＰＵＳＣＨの電力とＬ−ＰＵＣＣＨの電力との合計がＰｃｍａｘ，ＣＣ１を超えた場合は、ＰＵＳＣＨを調整し、表２に示されるように、調整した値をＰ’で表す。
【０３７０】
【表２】
2021503788.tif 000010
【０３７１】
３．各シンボルのすべてのＣＣのチャネルの送信電力の合計を計算し、Ｐｃｍａｘと比較することにより、この合計がＰｃｍａｘを超えるか否かを確認する、すなわち、すべてのＣＣの合計において電力が不十分なシンボルがあるか否かを確認する。電力が不十分なシンボルがある場合、優先度が高いチャネルおよび信号のシンボルを先ず調整しなければならない、すなわち、送信電力は優先度が高いチャネルまたはサービスに対して設定しなければならず、残余の電力は相対的に優先度が低い他のチャネルおよび信号に割り当てる。
【０３７２】
２つのシンボルｘ＝２およびｘ＝３の総電力がＰｃｍａｘ，ＣＣ１を超える場合、好ましくはＰＵＣＣＨの電力を保証し、ＰＵＳＣＨの電力をさらに低減し、表３に示されるようにＰ”で表す。
【０３７３】
【表３】
2021503788.tif 000011
【０３７４】
４．相対的に優先度が低い２つ以上のチャネルおよび信号がある場合、電力は同一の割合で低減する必要があり、いくつかのＣＣのチャネルに割り当てられる電力はゼロの可能性がある。
【０３７５】
５．表４に示されるように、同一のＣＣの同一のチャネルおよび信号の電力は、異なるシンボルにおいて一致する。
【０３７６】
【表４】
2021503788.tif 000012
【０３７７】
ＮＲ  ＣＡのnumerologyが異なる同期ＮＲ  ＣＡの場合
numerologyが異なる場合、シンボル長およびスロット長双方が異なっている。ロングスロットの電力を計算するとき、現在のショートスロットの電力要件はわかっているが、次のショートスロットの電力要件は予測不能であるため、次のショートスロットのために特定の電力を残しておくことが必要である。拡張ＰＣＭ２を使用する、すなわち、numerologyグループに従ってグループごとに保証電力を設定する。
【０３７８】
ある実施形態はさらに電力制御方法を提供する。この電力制御方法は下記のステップを含む。
【０３７９】
アップリンク送信の開ループ電力制御パラメータセットのパラメータのうちの少なくとも一部を構成または再構成する場合、構成または再構成する開ループ電力制御パラメータセットのインデックスに対応付けられた閉ループ電力プロセスＩＤに対応するローカル閉ループ電力調整量を、リセットする。
【０３８０】
この方法は、基地局が、ＵＥの電力制御パラメータの構成を実行するために使用してもよい。
【０３８１】
基地局が、最初に、ＵＥのアップリンク送信の開ループ電力制御パラメータセットにおける開ループ電力制御パラメータの一部またはすべてを構成または再構成する場合、基地局は、それに応じてこれらの開ループ電力制御パラメータに相当する閉ループ電力制御プロセスを調整して、ＵＥのローカル閉ループ電力制御調整量をリセットする。本明細書において、リセットは更新と理解することができる。
【０３８２】
いくつかの実施形態において、アップリンク送信は、
物理アップリンク共有チャネル送信、
物理アップリンク制御チャネル送信、または
サウンディング参照信号送信
のうちの少なくとも１つを含む。
【０３８３】
その他のいくつかの実施形態において、アップリンク送信の開ループ電力制御パラメータセットのパラメータは、
目標受信電力、または
経路損失係数
のうちの少なくとも１つを含む。
【０３８４】
いくつかの実施形態において、開ループ電力制御パラメータは、開ループ電力パラメータＩＤによって指示される。
【０３８５】
経路損失測定パラメータは、経路損失測定パラメータＩＤによって指示される。
閉ループ電力制御プロセスは、閉ループ電力制御プロセスＩＤによって指示される。
【０３８６】
いくつかの実施形態において、この方法はさらに下記のステップを含む。
基地局は、ユーザ機器（ＵＥ）のために、以下の相関、すなわち、
開ループ電力制御パラメータと参照信号インデックスとの相関、
経路損失測定パラメータと参照信号インデックスとの相関、
閉ループ電力制御プロセスと参照信号インデックスとの相関、
開ループ電力制御パラメータＩＤと参照信号インデックスとの相関、
経路損失測定パラメータＩＤと参照信号インデックスとの相関、または
閉ループ電力制御プロセスＩＤと参照信号インデックスとの相関、
のうちの少なくとも１つを構成する。
【０３８７】
いくつかの実施形態において、この方法はさらに下記のステップを含む。
ユーザ機器（ＵＥ）がアップリンク送信の電力制御パラメータを取得するために、たとえば、ＤＣＩシグナリングを通じて、
参照信号インデックス、
開ループ電力制御パラメータＩＤ、
経路損失測定パラメータＩＤ、
閉ループ電力制御プロセスＩＤ、および
ＵＥがアップリンク送信を得るための電力制御パラメータ
のうちの少なくとも１つが送信される。
【０３８８】
ＵＥは、上記のうちのいずれか１つを受信した後に、上記相関に基づいて電力制御パラメータを決定することができる。
【０３８９】
いくつかの実施形態において、ＵＥは、基地局から参照信号ＩＤを受信し、参照信号ＩＤと開ループ電力制御パラメータとの相関に基づいて開ループ電力制御パラメータを取得し、次に、参照信号ＩＤおよび閉ループ電力制御プロセスの相関に基づいて閉ループ電力制御パラメータを取得する。開ループ電力制御パラメータと閉ループ電力制御パラメータとの間には相関関係があり、これは、同一の参照信号ＩＤに対応付けられる。
【０３９０】
閉ループ電力制御パラメータは閉ループ電力制御プロセスＩＤを含む。本願のある実施形態はさらにコンピュータ実行可能コードを格納するためのコンピュータ記憶媒体を提供し、コンピュータ実行可能コードは、実行されると、上記技術的解決策のうちのいずれか１つが提供する電力制御方法またはパラメータ構成方法を実現可能である。
【０３９１】
コンピュータ記憶媒体は非一時的な記憶媒体であってもよい。
本願において、各種実施形態の特徴は、対立しなければ互いに組み合わせてもよい。各実施形態は、本願のある最適な実装態様にすぎず、本願の範囲を限定することを意図しているのではない。
【０３９２】
上記方法のステップのすべてまたは一部はプログラムによって指示される関連のハードウェアによって実現し得るものであること、および、これらのプログラムは読み出し専用メモリ（ＲＯＭ）、磁気ディスクもしくは光ディスク等のコンピュータ読取可能記憶媒体に格納し得ることを、当業者は理解するであろう。任意で、上記実施形態のステップのすべてまたは一部は１つ以上の集積回路を用いて実現し得るものでもある。したがって、上記実施形態におけるモジュール／ユニットはハードウェアまたはソフトウェア機能モジュールによって実現し得るものである。本願はハードウェアとソフトウェアの特定の組み合わせに限定されるものではない。
【０３９３】
上記は本願の代替実施形態にすぎず本願を限定することを意図しているのではない。当業者にとって本願は各種修正および変形を有し得るものである。本願の精神および原理の範囲内でなされたいかなる修正、均等の置換、改善なども本願の範囲に含まれていなければならない。
【図１】
2021503788.tif 000013
【図２】
2021503788.tif 000014
【図３】
2021503788.tif 000015
【図４】
2021503788.tif 000016
【図５】
2021503788.tif 000017
【図６】
2021503788.tif 000018
【図７】
2021503788.tif 000019
【図８】
2021503788.tif 000020
【国際調査報告】
2021503788.tif 000021
2021503788.tif 000022
2021503788.tif 000023
2021503788.tif 000024
2021503788.tif 000025
2021503788.tif 000026